(57)【要約】  本開示は、化学的に異なる水溶性フィルムの組み合わせから作製され、任意に、少なくとも１つの区画内に水溶性フィルムによって少なくとも部分的に封入された組成物（例えば、家庭用ケア組成物または非家庭用ケア組成物）を含有するパウチに関する。【特許請求の範囲】
【請求項１】
水溶性単位用量物品であって、前記物品内に含まれる少なくとも１つの組成物を含んでもよい、少なくとも１つのシールされた区画を含み、前記水溶性単位用量物品は、
第１の水溶性フィルムと、
第２の水溶性フィルムと、を含み、
前記第１のフィルムは前記第２のフィルムにシールされて、少なくとも１つのシールされた区画を形成し、
前記第１の水溶性フィルムは、前記フィルムのアニオン含有量に関して前記第２の水溶性フィルムと化学的に異なるが、
但し、前記組成物が布地ケア組成物または家庭用ケア組成物であり、フィルムがポリビニルアルコールホモポリマー樹脂およびアニオン性ポリビニルアルコールコポリマー樹脂のブレンドを含む場合、次いで第１の水溶性フィルムおよび前記第２の水溶性フィルムの両方は、６５重量％以上のアニオン性ポリビニルアルコールコポリマー樹脂を含むブレンドを含み、
前記組成物が布地ケア組成物または家庭用ケア組成物であり、フィルムが少なくとも２種のアニオン性ポリビニルアルコールコポリマー樹脂のブレンドを含む場合、次いで第１の水溶性フィルムおよび前記第２の水溶性フィルムの両方は、少なくとも２種のアニオン性ポリビニルアルコールコポリマー樹脂のブレンドを含む、水溶性単位用量物品。
【請求項２】
前記第１の水溶性フィルムが第１のアニオン含有量を含み、前記第２の水溶性フィルムが第２のアニオン含有量を含み、前記第１のアニオン含有量が前記第２のアニオン含有量より多い、請求項１に記載の水溶性単位用量物品。
【請求項３】
前記第１のアニオン含有量と前記第２のアニオン含有量の間の差が、約０．０５モル％〜約４モル％、または約０．１モル％〜約２モル％、または約０．２モル％〜約１モル％である、請求項１または２に記載の水溶性単位用量物品。
【請求項４】
前記第１の水溶性フィルムが、前記フィルム中の全ＰＶＯＨポリマーの約０．５モル％〜約１０モル％、または約０．７５モル％〜約７．５モル％、または約１モル％〜約５モル％、または約１．２５モル％〜約４モル％、または約１．５モル％〜約３モル％の範囲の第１のアニオン含有量を含み、前記第２の水溶性樹脂が、前記フィルム中の全ＰＶＯＨポリマーの約０モル％〜約５モル％、または約０．２５モル％〜約４モル％、または約０．５モル％〜約３モル％、または約０．７５モル％〜約２モル％、または約１モル％〜約１．５モル％の範囲の第２のアニオン含有量を含む、請求項１〜３のいずれか１項に記載の水溶性単位用量物品。
【請求項５】
前記第１の水溶性フィルムが第１の水溶性樹脂を含み、前記第２の水溶性フィルムが第２の水溶性樹脂を含む、請求項１〜４のいずれか１項に記載の水溶性単位用量物品。
【請求項６】
前記第１の水溶性樹脂が前記第２の水溶性樹脂と化学的に異なる、請求項５に記載の水溶性単位用量物品。
【請求項７】
前記第１の水溶性樹脂が、アニオン性モノマー単位（複数可）を含む少なくとも１種のポリビニルアルコールコポリマーを含み、前記第２の水溶性樹脂が、少なくとも１種のポリビニルアルコールホモポリマーを含み、アニオン性モノマー単位（複数可）を含むポリビニルアルコールコポリマーを実質的に含まない、請求項１〜６のいずれか１項に記載の水溶性単位用量物品。
【請求項８】
前記第１の水溶性樹脂が、アニオン性モノマー単位（複数可）を含む２種以上のポリビニルアルコールコポリマーの第１のブレンドを含み、前記第２の水溶性樹脂が、アニオン性モノマー単位（複数可）を含む２種以上のポリビニルアルコールコポリマーの第２のブレンドを含み、前記第１のブレンドは前記第２のブレンドと化学的に異なる、請求項１〜７のいずれか１項に記載の水溶性単位用量物品。
【請求項９】
前記第１の水溶性樹脂が、アニオン性モノマー単位（複数可）を含む少なくとも１種のポリビニルアルコールコポリマーおよび少なくとも１種のポリビニルアルコールホモポリマーの第１のブレンドを含み、前記第２の水溶性樹脂が、アニオン性モノマー単位（複数可）を含む少なくとも１種のポリビニルアルコールコポリマーおよび少なくとも１種のポリビニルアルコールホモポリマーの第２のブレンドを含み、前記第１のブレンドは前記第２のブレンドと化学的に異なる、請求項１〜８のいずれか１項に記載の水溶性単位用量物品。
【請求項１０】
前記第１の水溶性樹脂が、前記第１の水溶性樹脂の６５重量％以上の、前記アニオン性モノマー単位を含むポリビニルアルコールコポリマーを含み、前記第２の水溶性樹脂が、前記第２の水溶性樹脂の６５重量％以上の、前記アニオン性モノマー単位を含むポリビニルアルコールコポリマーを含む、請求項９に記載の水溶性単位用量物品。
【請求項１１】
前記第１の水溶性樹脂が、前記第１の水溶性樹脂の約１重量％〜約７０重量％の、前記アニオン性モノマー単位を含むポリビニルアルコールコポリマーと、前記第１の水溶性樹脂の約３０重量％〜約９９重量％の、前記ポリビニルアルコールホモポリマーと、を含む、請求項９に記載の水溶性単位用量物品。
【請求項１２】
前記第１の水溶性樹脂が、前記第１の水溶性樹脂の重量の、約１０重量％〜約７０重量％、または約１５重量％〜約６５重量％、または約２０重量％〜約５０重量％、約３０重量％〜約４０重量％の、前記アニオン性モノマー単位を含むポリビニルアルコールコポリマーを含む、請求項１１に記載の水溶性単位用量物品。
【請求項１３】
前記第２の水溶性樹脂が、前記第２の水溶性樹脂の重量の、約１重量％〜約７０重量％の、前記アニオン性モノマー単位を含むポリビニルアルコールコポリマーと、前記第２の水溶性樹脂の重量の、約３０重量％〜約９９重量％の、前記ポリビニルアルコールホモポリマーと、を含む、請求項９に記載の水溶性単位用量物品。
【請求項１４】
前記第２の水溶性樹脂が、前記第２の水溶性樹脂の重量の、約１０重量％〜約７０重量％、または約１５重量％〜約６５重量％、または約２０重量％〜約５０重量％、または約３０重量％〜約４０重量％の、前記アニオン性モノマー単位を含むポリビニルアルコールコポリマーを含む、請求項１３に記載の水溶性単位用量物品。
【請求項１５】
前記第１の水溶性樹脂が、前記第１の水溶性樹脂の重量の、約１０重量％〜約３２重量％の、前記アニオン性モノマー単位を含むポリビニルアルコールコポリマーを含み、前記第２の水溶性樹脂が、前記第２の水溶性樹脂の重量の、約３３重量％〜約５０重量％の、前記アニオン性モノマー単位を含むポリビニルアルコールコポリマーを含む、請求項９に記載の水溶性単位用量物品。
【請求項１６】
前記第１の水溶性樹脂が、存在する全ポリビニルアルコールコポリマーに関して、約２モル％〜約８モル％、または約３モル％〜約５モル％、約１モル％〜約４モル％の、前記アニオン性モノマー単位を含む少なくとも１種のポリビニルアルコールコポリマー（複数可）を含む、請求項９に記載の水溶性単位用量物品。
【請求項１７】
前記第２の水溶性樹脂が、存在する全ポリビニルアルコールコポリマーに関して、約２モル％〜約８モル％、または約３モル％〜約５モル％、または約１モル％〜約４モル％の、前記アニオン性モノマー単位を含む少なくとも１種のポリビニルアルコールコポリマー（複数可）を含む、請求項９に記載の水溶性単位用量物品。
【請求項１８】
前記第１の水溶性樹脂が、存在する全ポリビニルアルコールコポリマーに関して、約１モル％〜約３モル％の前記アニオン性モノマー単位を含む少なくとも１種のポリビニルアルコールコポリマー（複数可）を含み、前記第２の水溶性樹脂が、存在する全ポリビニルアルコールコポリマーに関して約４モル％〜約８モル％の前記アニオン性モノマー単位を含む少なくとも１種のポリビニルアルコールコポリマー（複数可）を含む、請求項９に記載の水溶性単位用量物品。
【請求項１９】
前記第１の水溶性フィルムが、前記水溶性単位用量物品に組み込む前に、熱成形されている、請求項１〜１８のいずれか１項に記載の水溶性単位用量物品。
【請求項２０】
前記第２の水溶性フィルムが、前記水溶性単位用量物品に組み込む前に、熱成形されていない、請求項１〜１９のいずれか１項に記載の水溶性単位用量物品。
【請求項２１】
前記アニオン性モノマー単位が、ビニル酢酸、アクリル酸アルキル、マレイン酸、マレイン酸モノアルキル、マレイン酸ジアルキル、マレイン酸モノメチル、マレイン酸ジメチル、無水マレイン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、これらのアルカリ金属塩、これらのエステル、およびこれらの組み合わせから誘導されるアニオン性モノマーからなる群から選択される、請求項１〜２０のいずれか１項に記載の水溶性単位用量物品。
【請求項２２】
前記アニオン性モノマー単位が、マレイン酸、マレイン酸モノアルキル、マレイン酸ジアルキル、無水マレイン酸、これらのアルカリ金属塩、これらのエステルおよびこれらの組み合わせから誘導されるアニオン性モノマー単位からなる群から選択される、請求項２１に記載の水溶性単位用量物品。
【請求項２３】
前記アニオン性モノマー単位が、マレイン酸、マレイン酸モノメチル、マレイン酸ジメチル、無水マレイン酸、これらのアルカリ金属塩、これらのエステルおよびこれらの組み合わせから誘導されるアニオン性モノマー単位からなる群から選択される、請求項２２に記載の水溶性単位用量物品。
【請求項２４】
前記水溶性単位用量物品がパウチであり、本明細書に記載のパウチ強度試験に従って、約２０００Ｎ未満、または約１０００Ｎ未満、または約８５０Ｎ未満、または約７５０Ｎ未満の、パウチ強度を有する、請求項１〜２３のいずれか１項に記載の水溶性単位用量物品。
【請求項２５】
前記第１の水溶性フィルムおよび前記第２の水溶性フィルムがそれぞれ独立して、前記フィルムの重量の、約３０重量％〜約９０重量％、または約４０重量％〜約８０重量％、または約５０重量％〜約７５重量％、または約６０重量％〜約７０重量％の、水溶性樹脂を含む、請求項１〜２４のいずれか１項に記載の水溶性単位用量物品。
【請求項２６】
前記第１の水溶性フィルムおよび前記第２の水溶性フィルムが、それぞれ独立して、前記水溶性単位用量物品への組み込み前に、約４０〜約１００ミクロン、または約６０ミクロン〜約９０ミクロン、または約７０ミクロン〜約８０ミクロンの厚さを有する、請求項１〜２５のいずれか１項に記載の水溶性単位用量物品。
【請求項２７】
前記第１の水溶性フィルムおよび前記第２の水溶性フィルムが、それぞれ独立して、前記水溶性単位用量物品への組み込み前に、ＭｏｎｏＳｏｌ試験法ＭＳＴＭ−２０５に従って、約７６ミクロンの厚さを有するフィルムについて２０℃の温度の水中で、約３００秒以下、約２４０秒以下、または約１８０秒以下の溶解時間を有する、請求項１〜２６のいずれか１項に記載の水溶性単位用量物品。
【請求項２８】
前記水溶性単位用量物品が、本明細書に記載のパウチ溶解試験方法により、約６．２未満、約６未満、または約５．８未満の平均ログ（残留面積）を有する、請求項１〜２７のいずれか１項に記載の水溶性単位用量物品。
【請求項２９】
前記第１の水溶性フィルムと前記第２の水溶性フィルム間の厚さの差が、約５０％未満、または約３０％未満または、約２０％未満、または約１０％未満である、請求項１〜２８のいずれか１項に記載の水溶性単位用量物品。
【請求項３０】
前記第１の水溶性フィルムの厚さが、前記第２の水溶性フィルムの厚さと同じである、請求項１〜２９のいずれか１項に記載の水溶性単位用量物品。
【請求項３１】
前記水溶性単位用量物品がパウチであり、本明細書に記載のパウチ強度試験に従って、少なくとも約３５０Ｎ、または少なくとも約４００Ｎ、または少なくとも約４５０Ｎ、または少なくとも約５００Ｎのパウチ強度を有する、請求項１〜３０のいずれか１項に記載の水溶性単位用量物品。
【請求項３２】
前記水溶性単位用量物品は、本明細書に記載のシール不良試験に従って０個のシール不良を有する、請求項１〜３１のいずれか１項に記載の水溶性単位用量物品。
【請求項３３】
前記第１の水溶性フィルムは、可塑剤をさらに含む、請求項１〜３２のいずれか１項に記載の水溶性単位用量物品。
【請求項３４】
前記第２の水溶性フィルムは、可塑剤をさらに含む、請求項１〜３３のいずれか１項に記載の水溶性単位用量物品。
【請求項３５】
前記可塑剤が、グリセリン、トリメチロールプロパン、ソルビトール、およびこれらの組み合わせからなる群から選択される、請求項３３または３４に記載の水溶性単位用量物品。
【請求項３６】
前記第１の水溶性フィルムが、界面活性剤をさらに含む、請求項請求項１〜３５のいずれか１項に記載の水溶性単位用量物品。
【請求項３７】
前記第２の水溶性フィルムが、界面活性剤をさらに含む、請求項１〜３６のいずれか１項に記載の水溶性単位用量物品。
【請求項３８】
前記界面活性剤が、ポリオキシエチレン化ポリオキシプロピレングリコール、アルコールエトキシレート、アルキルフェノールエトキシレート、第三級アセチレングリコール、アルカノールアミド、ポリオキシエチレン化アミン、第四級アンモニウム塩、四級化ポリオキシエチレン化アミン、アミンオキシド、Ｎ−アルキルベタイン、スルホベタイン、およびこれらの混合物からなる群から選択される、請求項３６または３７に記載の水溶性単位用量物品。
【請求項３９】
前記第１の水溶性フィルムが、嫌悪剤をさらに含む、請求項１〜３８のいずれか１項に記載の水溶性単位用量物品。
【請求項４０】
前記第２の水溶性フィルムが、嫌悪剤をさらに含む、請求項１〜３９のいずれか１項に記載の水溶性単位用量物品。
【請求項４１】
前記水溶性単位用量物品が、少なくとも２つのシールされた区画、または少なくとも３つのシールされた区画を含む、請求項１〜４０のいずれか１項に記載の水溶性単位用量物品。
【請求項４２】
前記単位用量物品が、上部フィルム、中間フィルム、および下部フィルムを含み、前記上部および下部フィルムが、前記第１の水溶性フィルムを含み、前記中間フィルムが、前記第２の水溶性フィルムを含む、請求項１〜４１のいずれか１項に記載の水溶性単位用量物品。
【請求項４３】
前記第１の水溶性樹脂が、約８０％〜約９９％、または約８５％〜約９５％、または約８６％〜約９０％の範囲の加水分解度を有するポリビニルアルコールコポリマーを含む、請求項１〜４２のいずれか１項に記載の水溶性単位用量物品。
【請求項４４】
前記第２の水溶性樹脂が、約８０％〜約９９％、または約８５％〜約９５％、または約８６％〜約９０％の範囲の加水分解度を有するポリビニルアルコールコポリマーを含む、請求項１〜４３のいずれか１項に記載の水溶性単位用量物品。
【請求項４５】
前記第１の水溶性樹脂が、約８０％〜約９９％、または約８５％〜約９５％、または約８６％〜約９０％の範囲の加水分解度を有するポリビニルアルコールホモポリマーを含む、請求項１〜４４のいずれか１項に記載の水溶性単位用量物品。
【請求項４６】
前記第２の水溶性樹脂が、約８０％〜約９９％、または約８５％〜約９５％、または約８６％〜約９０％の範囲の加水分解度を有するポリビニルアルコールホモポリマーを含む、請求項１〜４５のいずれか１項に記載の水溶性単位用量物品。
【請求項４７】
単位用量物品の使用であって、前記単位用量物品は、少なくとも第１の水溶性フィルム及び、第２の水溶性フィルムを含み、かつ、前記物品内に含まれる組成物を含んでもよく、前記第１の水溶性フィルムおよび前記第２の水溶性フィルムは、消費者の洗剤の投与経験を改善するために、前記フィルムのアニオン含有量に関して互いに化学的に異なるが、
但し、前記組成物が布地ケア組成物または家庭用ケア組成物であり、フィルムがポリビニルアルコールホモポリマー樹脂およびアニオン性ポリビニルアルコールコポリマー樹脂のブレンドを含む場合、次いで第１の水溶性フィルムおよび前記第２の水溶性フィルムの両方は、６５重量％以上のアニオン性ポリビニルアルコールコポリマー樹脂を含むブレンドを含み、
前記組成物が布地ケア組成物または家庭用ケア組成物であり、フィルムが少なくとも２種のアニオン性ポリビニルアルコールコポリマー樹脂のブレンドを含む場合、次いで第１の水溶性フィルムおよび前記第２の水溶性フィルムの両方は、少なくとも２種のアニオン性ポリビニルアルコールコポリマー樹脂のブレンドを含む、使用。
【請求項４８】
水溶性単位用量物品の製造における第１の水溶性フィルムおよび第２の水溶性フィルムの使用であって、前記水溶性単位用量物品は、前記物品内に含まれる組成物を含んでもよく、前記第１の水溶性フィルムおよび前記第２の水溶性フィルムが、シール領域におけるシール強度を改善させるために、前記フィルムのアニオン含有量に関して互いに化学的に異なり、前記シール領域に沿って一緒にシールされている、
但し、前記組成物が布地ケア組成物または家庭用ケア組成物であり、フィルムがポリビニルアルコールホモポリマー樹脂およびアニオン性ポリビニルアルコールコポリマー樹脂のブレンドを含む場合、次いで第１の水溶性フィルムおよび前記第２の水溶性フィルムの両方は、６５重量％以上のアニオン性ポリビニルアルコールコポリマー樹脂を含むブレンドを含み、
前記組成物が布地ケア組成物または家庭用ケア組成物であり、フィルムが少なくとも２種のアニオン性ポリビニルアルコールコポリマー樹脂のブレンドを含む場合、次いで第１の水溶性フィルムおよび前記第２の水溶性フィルムの両方は、少なくとも２種のアニオン性ポリビニルアルコールコポリマー樹脂のブレンドを含む、使用。
【請求項４９】
単位用量物品を投与する方法であって、
ａ．少なくとも第１の水溶性フィルム、第２の水溶性フィルム、および前記物品内に含まれる組成物を含む水溶性単位用量物品を得る工程であって、第１の水溶性フィルムおよび第２の水溶性フィルムが前記フィルムのアニオン含有量に関して互いに化学的に異なる、得る工程と、
ｂ．水と接触させて、前記フィルムのうちの少なくとも１つを溶解させ、それにより前記物品内に含まれる前記組成物を放出させる工程と、を含むが、
但し、前記組成物が布地ケア組成物または家庭用ケア組成物であり、フィルムがポリビニルアルコールホモポリマー樹脂およびアニオン性ポリビニルアルコールコポリマー樹脂のブレンドを含む場合、次いで第１の水溶性フィルムおよび前記第２の水溶性フィルムの両方は、６５重量％以上のアニオン性ポリビニルアルコールコポリマー樹脂のブレンドを含み、
前記組成物が布地ケア組成物または家庭用ケア組成物であり、フィルムが少なくとも２種のアニオン性ポリビニルアルコールコポリマー樹脂のブレンドを含む場合、次いで第１の水溶性フィルムおよび前記第２の水溶性フィルムの両方は、少なくとも２種のアニオン性ポリビニルアルコールコポリマー樹脂を含む、方法。
【請求項５０】
前記物品が非家庭用ケア組成物を含有する、請求項１〜４９のいずれか１項に記載の水溶性単位用量物品、使用または方法。
【請求項５１】
前記非家庭用ケア組成物が、農業用組成物、航空用組成物、食品および栄養組成物、工業用組成物、家畜用組成物、海洋用組成物、医療用組成物、商業用組成物、軍事および準軍事用組成物、オフィス用組成物、ならびにレクリエーション用および公園用組成物、ペット用組成物、水処理用組成物から選択される、請求項５０に記載の水溶性単位用量物品、使用または方法。
【請求項５２】
前記非家庭用ケア組成物が農業用組成物を含む、請求項５１に記載の水溶性単位用量物品、使用または方法。
【請求項５３】
前記非家庭用ケア組成物が水処理用組成物を含む、請求項５１に記載の水溶性単位用量物品、使用または方法。
【発明の詳細な説明】
【技術分野】
【０００１】
関連出願の相互参照
米国特許法第１１９条（ｅ）に基づく２０１６年６月１３日に出願された米国仮特許出願第６２／３４９，６５５号の利益がこれによって主張され、その開示はこれによって参照により本明細書に組み込まれる。
【０００２】
本開示は、化学的に異なる水溶性フィルムの組み合わせから作製され、任意に水溶性フィルムによって少なくとも１つの区画に少なくとも部分的に封入された、組成物、例えば家庭用ケア組成物または非家庭用ケア組成物、を含有する水溶性単位用量物品に関する。
【背景技術】
【０００３】
水溶性ポリマーフィルムは、供給される材料の分散、注入、溶解、および投与を単純化する包装材料として一般的に使用される。例えば、水溶性フィルムから作製された水溶性単位用量物品は、例えば洗濯物または皿洗い用洗剤を含むパウチのような家庭用ケア組成物を、および例えば水処理活性剤を含むパウチのような非家庭用ケア組成物を、包装するのに一般的に使用される。使用者（例えば、消費者）は、水溶性単位用量物品を、バケツ、シンクまたは洗濯機のような混合容器、またはトイレの水タンクまたは水泳プールに直接加えることができる。有利なことに、これは、消費者がその組成物を計量する必要性をなくすと同時に正確な投与を提供する。水溶性単位用量物品はまた、ボトルから液体洗濯洗剤を注入する、または水処理顆粒またはペレットをバケットから分配するような、容器から同様の組成物を分配することに関連する面倒を低減することができる。水溶性単位用量物品はまた、その中にある組成物を使用者の手との接触から隔離する。要するに、予め測定された薬剤を含有する水溶性単位用量物品は、様々な用途における消費者の利便性を提供する。
【０００４】
水溶性単位用量物品を作製するために使用されるいくつかの水溶性ポリマーフィルムは、洗浄サイクル中に不完全に溶解し、洗浄中の物品上にフィルム残留物を残す。このような問題は、水溶性単位用量物品がストレスのかかる洗浄条件下、例えば、パウチが冷水（例えば、５℃程度の低温のおよび／または１０℃または１５℃までの水）中で、短時間の水接触時間、例えば短い洗浄サイクルで、および／またはフィルム溶解に利用可能な低濃度の水で、例えば低水位洗浄サイクル（例えば、５ｍＬ〜３００ｍＬの内容物を含有する大きさのパウチについて約３Ｌ〜約２０Ｌの洗浄液）で使用される場合には特に生じ得る。とりわけ、環境問題およびエネルギーコストは、洗濯用途において、より低温の洗浄水およびより短い洗濯サイクルを利用することに対する消費者の欲求を駆り立てる。
【０００５】
水溶性単位用量物品を作製するために使用されるいくつかの水溶性ポリマーフィルムは、洗浄サイクル中に完全に溶解するが、高湿度条件に曝されると、それらは実質的に水で湿ってフィルムが粘着性になり、製造中、または輸送中にコンテナ内に保管する際に、倉庫または消費者の家庭で、そのような高湿度条件に曝されたときは、それによって作られた水溶性単位用量物品が一緒にくっつく原因となる。
【０００６】
さらに、水溶性単位用量物品は、包装、輸送、貯蔵および使用の間に加えられ得る力に耐えるように、作製直後および貯蔵の両方において、適切な強度を有することが望ましい。意図しない破裂および／または漏出を避けるために、パウチが洗濯洗剤または染料濃縮物のような液体組成物を封入する場合には、適切な強度が特に好ましい場合がある。
【０００７】
水溶性フィルムおよび水溶性単位用量物品、例えばパウチなどであって、良好な水溶性、粘着性の低減、適切なパウチ強度、耐薬品性、このフィルムまたはそれから形成される水溶性単位用量物品と接触する洗濯活性剤または他の組成物との化学的および物理的適合性の所望の特性、および／または熱成形時および／または適切なシーリング時の変形性のような望ましい機械的特性、を有する、水溶性フィルムおよび水溶性単位用量物品が依然として必要とされている。本開示による水溶性単位用量物品は、最適な水溶性および低減された粘着性を示すことが見出された。
【発明の概要】
【０００８】
本開示は、少なくとも１つの組成物（例えば、家庭用ケア組成物または非家庭用ケア組成物）を任意に含む少なくとも１つのシールされた区画を含む水溶性単位用量物品に関し、この水溶性単位用量物品は、第１の水溶性フィルムおよび第２の水溶性フィルムを含み、第１のフィルムは第２のフィルムにシールされて前記少なくとも１つのシールされた区画を形成し、第１の水溶性フィルムは第２の水溶性フィルムとはフィルムのアニオン含有量に関して化学的に異なる。
【０００９】
本開示はまた、そのようなパウチを作製および使用する方法にも関する。
【図面の簡単な説明】
【００１０】
本明細書の図は本質的に例示的なものであり、限定を意図するものではない。
【００１１】
【図１】単位用量物品強度試験とシール不良試験の基本構成の説明図を示す。
【図２】パウチの側断面図を示す。
【図３】多区画パウチを示す。
【発明を実施するための形態】
【００１２】
定義
本明細書で使用する冠詞「ａ」および「ａｎ」は、特許請求の範囲で使用される場合、特許請求または記載されるものの１つ以上を意味すると理解される。本明細書で使用される場合、用語「含む（ｉｎｃｌｕｄｅ）」、「含む（ｉｎｃｌｕｄｅｓ）」、および「含む（ｉｎｃｌｕｄｉｎｇ）」は、非限定的であることを意味する。本開示の組成物は、本開示の成分を含み得るか、本質的にそれからなるか、またはそれらからなることができる。
【００１３】
本明細書では、「実質的に含まない」という用語を使用することができる。これは、示された材料が組成物に少なくとも意図的に添加されず、その一部を形成しないこと、または好ましくは分析的に検出可能なレベルで存在しないことを意味する。示された材料が意図的に含まれる他の材料の１つに不純物としてのみ存在する組成物を含むことを意味する。示された材料は、存在するとしても、組成物の１重量％未満、または０．１重量％未満、または０．０１重量％未満、またはさらに０重量％のレベルで存在し得る。
【００１４】
本開示の水溶性単位用量物品は、包装自体の実施形態、および組成物、例えば家庭用ケア組成物または非家庭用ケア組成物を含み得る包装を含む。組成物は、液体、固体、またはこれらの組み合わせから選択することができる。本明細書で使用される場合、「液体」は、自由流動性の液体、ならびにペースト、ゲル、フォーム、およびムースを含む。液体の非限定的な例としては、軽質および重質液体洗剤組成物、布地向上剤、洗濯に一般的に使用される洗剤ゲル、漂白および洗濯添加剤が挙げられる。気体、例えば、懸濁気泡、または固体、例えば、粒子を液体内に含めることができる。本明細書で使用する「固体」には、粉末、凝集物、およびこれらの混合物が含まれるが、これらに限定されない。固体の非限定的な例としては、顆粒、マイクロカプセル、ビーズ、ヌードル、および真珠色玉が挙げられる。固体組成物は、これらに限定されないが、スルーザウォッシュ利益、前処理利益、および／または美的効果を含む、技術的利益を提供し得る。
【００１５】
本明細書で使用される場合、「ホモポリマー」という用語は、一般に、単一タイプのモノマー反復単位を有するポリマー（例えば、単一のモノマー反復単位からなる、または本質的になるポリマー鎖）を含む。ポリビニルアルコール（ＰＶＯＨ）の特定の場合について、「ホモポリマー」（または「ＰＶＯＨホモポリマー」または「ＰＶＯＨポリマー」）という用語は、加水分解度に応じた、ビニルアルコールモノマー単位および酢酸ビニルモノマー単位の分布を有するコポリマー（例えば、ビニルアルコールおよび酢酸ビニルモノマー単位からなる、または本質的になるポリマー鎖）をさらに含む。１００％加水分解の限定的な場合において、ＰＶＯＨホモポリマーは、ビニルアルコール単位のみを有する真のホモポリマーを含むことができる。
【００１６】
本明細書で使用される場合、「コポリマー」という用語は、一般に、２つ以上のタイプのモノマー反復単位を有するポリマー（例えば、２つ以上の異なるモノマー反復単位、ランダムコポリマー、ブロックコポリマー、などからなる、または本質的になるポリマー鎖）を含む。ＰＶＯＨの特定の場合について、「コポリマー」（または「ＰＶＯＨコポリマー」）という用語は、加水分解度に応じた、ビニルアルコールモノマー単位および酢酸ビニルモノマー単位、ならびに少なくとも１つの他のタイプのモノマー反復単位の分布を有するコポリマー（例えば、ビニルアルコールモノマー単位、酢酸ビニルモノマー単位、および１つ以上の他のモノマー単位、例えば、アニオン性モノマー単位からなる、または本質的になるター（または高次）ポリマー鎖）をさらに含む。１００％加水分解の限定的な場合において、ＰＶＯＨコポリマーは、ビニルアルコール単位および１つ以上の他のモノマー単位を有するが酢酸ビニル単位を有さないコポリマーを含むことができる。
【００１７】
特に記載のない限り、すべての成分または組成物のレベルは、その成分または組成物の活性部分に関し、不純物、例えば、このような成分または組成物の市販の供給源中に存在し得る、残留溶媒または副産物を含まない。
【００１８】
特に指示のない限り、すべての温度は摂氏（℃）で表される。特に明記しない限り、本明細書中のすべての測定は、２０℃、大気圧下および５０％相対湿度で行う。
【００１９】
本開示において、すべてのパーセンテージは、特に明記しない限り、全組成物の重量によるものである。特に明記しない限り、すべての比は重量比である。
【００２０】
この明細書全体を通して与えられるすべての最大数値限界は、すべてのより低い数値限界を、このようなより低い数値限界が本明細書に明示的に記載されているかのように含むことを理解されたい。この明細書全体を通して与えられるすべての最小数値限界は、すべてのより高い数値限界を、このようなより高い数値限界が本明細書に明示的に記載されているかのように含む。この明細書全体を通して与えられるすべての数値範囲は、このようなより広い数値範囲内に含まれるすべてのより狭い数値範囲を、このようなより狭い数値範囲がすべて本明細書に明示的に記載されているかのように含む。
【００２１】
本明細書に記載されるすべての範囲は、すべての可能なサブセットの範囲およびそのようなサブセットの範囲の任意の組み合わせを含む。デフォルトでは、範囲は、別に記載されない限り、記載される終了点を含む。値の範囲が提供されている場合、その範囲の上限と下限との間の各々の間の値、およびその記載される範囲内の任意の他の記載される値または間にある値は、本開示内に包含されることが理解される。これらのより小さな範囲の上限および下限は独立して、そのより小さな範囲内に含まれ得、また、記載される範囲内の任意の具体的に除外される限界値に従って、本開示内に包含される。記載される範囲がこれらの限界値のうちの１つまたは両方を含む場合、これらの含まれる限界値のいずれかまたは両方を除く範囲も、本開示の一部であることが企図される。
【００２２】
例えば、記載される目的物のパラメータまたは記載される目的物に関連付けられた範囲の一部として、本明細書に記載される任意の数値の場合、説明の一部を形成する代替物は、特定の数値の周辺の機能的に同等の範囲であることが明白に企図される（例えば、「４０ｍｍ」として開示された寸法について、企図される別の実施形態は「約４０ｍｍ」である）。
【００２３】
水溶性単位用量物品
本明細書に記載の水溶性単位用量物品は、単位用量物品が水溶性フィルムで囲まれた少なくとも１つの内部区画を含むような形状の第１の水溶性フィルムと、第２の水溶性フィルムとを含む。水溶性フィルムは、内部区画を画定するように互いにシールされ、完成した充填物品において、貯蔵中に洗剤または他の組成物が区画から漏れないように、フィルムは互いにシールされる。しかし、水溶性単位用量物品を水に添加すると（またはその逆も）、水溶性フィルムは溶解し、内部区画の内容物を、例えば水または洗浄液に内に放出する。水溶性単位用量物品は、パウチであってもよい。
【００２４】
２つのフィルムが会合して一緒にシールされる領域は、シール領域と呼ばれる。しばしば、シール領域は、第２の水溶性フィルムの領域にシールされた第１の水溶性フィルムの領域を含み、一般に単位用量物品の本体から突出している「スカート」または「フランジ」を含む。単位用量物品を作製する好ましい方法は、以下により詳細に記載される。
【００２５】
区画は、単位用量物品内の閉じた内部空間を意味するものと理解されるべきであり、これは、界面活性剤または他の組成物を保持することができる。製造中、本発明による第１の水溶性フィルムは、洗剤または他の組成物が添加される開いた区画を含むように成形されてもよい。次いで、本発明による第２の水溶性フィルムは、区画の開口部を閉じる定位などで第１のフィルムの上に置かれる。次いで、第１および第２のフィルムはシール領域に沿って共にシールされる。
【００２６】
単位用量物品は、２つ以上の区画、さらに少なくとも２つの区画、さらには少なくとも３つの区画を含むことができる。区画は、重ね合わされた定位で、すなわち、一方が他方の上に位置するように配置されてもよい。そのような定位では、単位用量物品は、上、中、および下の３つのフィルムを含むことになる。好ましくは、中間フィルムは本発明による第２の水溶性フィルムに対応し、上部および下部フィルムは本発明による第１の水溶性フィルムに対応する。あるいは、区画は、横並びの定位、すなわち、一方が他方の隣に定位されてもよい。区画は、「タイヤとリム」の配置、すなわち、第１の区画は第２の区画の隣に配置されるが、第１の区画は第２の区画を少なくとも部分的に囲むが、第２の区画を完全に封入しない、配置であってもよい。あるいは、一方の区画を別の区画内に完全に封入することができる。このような多区画の定位では、本発明による第１の水溶性フィルムは、洗剤または他の組成物が添加される開いた区画を含むように成形することができる。次いで、本発明による第２の水溶性フィルムは、区画の開口部を閉じる定位で第１のフィルムの上に置かれる。
【００２７】
単位用量物品が少なくとも２つの区画を含む場合、区画の１つは他の区画よりも小さくてもよい。単位用量物品が少なくとも３つの区画を備え、２つの区画が第３の区画より小さくてもよく、好ましくは小さな区画が大きな区画に重ね合わされる。重なり合った区画は、好ましくは並んで定位されている。
【００２８】
多区画の定位では、組成物（例えば、非家庭用ケア組成物）が区画の少なくとも１つに含まれていてもよい。それは、例えば、ただ１つの区画に含まれてもよく、または２つの区画に、またはさらに３つの区画に含まれてもよい。例えば、多区画の定位では、本発明による洗剤組成物は、区画の少なくとも１つに含まれてもよい。あるいは、洗剤は、例えば、ちょうど１つの区画に含まれてもよく、または２つの区画に、またはさらに３つの区画に含まれてもよい
【００２９】
各区画は、同じまたは異なる組成物を含むことができる。異なる組成物は、すべて同じ形態であってもよく、または異なる形態であってもよい。
【００３０】
水溶性単位用量物品は、液体組成物が、区画の少なくとも１つに含まれる、少なくとも２つの内部区画を含むことができ、好ましくは、単位用量物品は、液体組成物が少なくとも１つの区画に含まれる、少なくとも３つの区画を含む。例えば、水溶性単位用量洗剤用品は、液体洗濯洗剤組成物が、少なくとも１つの区画に含まれる、少なくとも２つの内部区画を含み、好ましくは、単位投与物品は、洗剤組成物が区画の少なくとも１つに含まれる、少なくとも３つの区画を含む。
【００３１】
第１および第２の水溶性フィルム
水溶性単位用量物品は、第１の水溶性フィルムおよび第２の水溶性フィルムを含み、第１の水溶性フィルムおよび第２の水溶性フィルムは互いに化学的に異なる。
【００３２】
疑念を避けるために、本発明の文脈において、「化学的に異なる」とは、本明細書では「バージンフィルム」、すなわち、供給業者／製造業者から受け取られ、単位用量物品作製ユニットに巻き戻される前のフィルムが、第１のフィルム組成物を第２のフィルム組成物と区別し、本明細書に記載の試験方法（複数可）に従って、例えば保水量、伸び弾性率、および破断時の引張強さなどのフィルムの物理的特性の少なくとも１つに影響を与える、フィルム組成物の少なくとも１つに存在する少なくとも１つの物質を有し、このことが少なくとも１つの物理的フィルム特性を第１のフィルムと第２のフィルムとで異なるものとする、ことを意味する。普通の作製プロセス、すなわちバッチ間変動に起因するフィルムの様々な化学組成物は、それ自体、本発明の範囲内の化学的に異なるフィルムとはみなされない。
【００３３】
化学的に区別する物質の非限定的な例には、異なるポリマー標的樹脂および／または含有量、異なる可塑剤組成物および／または含有量、または異なる界面活性剤および／または含有量の使用が含まれる。フィルムの厚さのみが異なるフィルムなどの、物理的性質が異なるが同じ物質含有量を有するフィルムを含む水溶性単位用量物品は、本発明の範囲外であると考えられる。コーティング層が存在する場合と存在しないことによってのみ区別されている、フィルムから作製された単位用量物品はまた、本発明の範囲外であると考えられる。
【００３４】
好ましくは、第１の水溶性フィルムは、単位用量物品の製造中に熱成形される。「熱成形」とは、本明細書において、フィルムを変形させる前に、例えばフィルムを赤外線ランプの下に通すことによって加熱することを意味し、変形工程は、好ましくは、水溶性フィルムをキャビティ上に置き、フィルムの下のキャビティ内に真空または圧力を加えることによって可能にする。第２の水溶性フィルムは、単位用量物品の製造中に熱成形することができる。あるいは、第２の水溶性フィルムは、単位用量物品の製造中に熱成形されなくてもよい。好ましくは、第１の水溶性フィルムは、単位用量物品の製造中に熱成形され、第２の水溶性フィルムは、単位用量物品の製造中に熱成形されない。
【００３５】
第１の水溶性フィルムおよび第２の水溶性フィルムは、単位用量物品に組み込む前に、それぞれ独立して、４０ミクロン〜１００ミクロンの、好ましくは６０ミクロン〜９０ミクロンの、より好ましくは７０ミクロン〜８０ミクロンの間の厚さを有する。
【００３６】
好ましくは、単位用量物品に組み込む前の、第１の水溶性フィルムと第２の水溶性フィルム間の厚さの差は、５０％未満、好ましくは３０％未満、より好ましくは２０％未満、さらにより好ましくは１０％であるか、または厚さが等しくてもよい。
【００３７】
本発明による第１の水溶性フィルムおよび第２の水溶性フィルムは、好ましくは単層フィルムであり、より好ましくは溶液流延によって製造される。
【００３８】
水溶性フィルムは、カールフィッシャー滴定によって測定される、少なくとも４重量％、好ましくは約４〜約１０重量％の範囲の残留水分含有量をさらに有することができる。
【００３９】
本明細書に記載の第１の水溶性フィルムおよび／または第２の水溶性フィルムは、アニオン性モノマー単位を含むポリマー、例えばＰＶＯＨポリマーを含有してもよい。第１の水溶性フィルムおよび／または第２の水溶性フィルム中に存在するアニオン性モノマー単位の量は、アニオン含有量として表すことができる。第１の水溶性フィルムは第１のアニオン含有量を有し、第２の水溶性フィルムは第２のアニオン含有量を有してもよい。第１のアニオン含有量は、第２のアニオン含有量と異なっていてもよい。「アニオン含有量」とは、フィルムのＰＶＯＨポリマー中に存在するアニオン性モノマー単位、例えば、フィルム中のＰＶＯＨポリマーの合計量（例えば、ホモポリマー（複数可）およびコポリマー（複数可）を含むＰＶＯＨポリマーの合計）と比較する、アニオン性モノマー単位のモル含有量（モル％）を意味する。アニオン性モノマー単位の量は、ポリマー中、例えばＰＶＯＨコポリマー中のアニオン性モノマー単位のモル含有量（例えば、モル％で表される）を単位として特徴付けることができる。１つ以上のアニオン性モノマー単位は、ＰＶＯＨコポリマー中に、個別または集合的に、約１モル％〜約１０モル％、または約２モル％〜約８モル％、または約２モル％〜約６モル％、または約３モル％〜約６モル％、または約１モル％〜約４モル％、または約３モル％〜約５モル％、または約３．５モル％〜約４．５モル％、または約４モル％〜約４．５モル％の範囲の量で存在し得る。アニオン性モノマー単位は、ＰＶＯＨコポリマー中に、少なくとも約３．０モル％、少なくとも約３．５モル％、少なくとも約４．０モル％、および／または約６．０モル％まで、約５．５モル％まで、約５．０モル％まで、または約４．５モル％までの量で存在してもよい。
【００４０】
本明細書に開示される水溶性単位用量物品は、第１のアニオン含有量を含む第１の水溶性フィルムと、第２のアニオン含有量を含む第２の水溶性フィルムとを含むことができ、第１のアニオン含有量は第２のアニオン含有量よりも大きい。第１のアニオン含有量と第２のアニオン含有量との差は、約０．０５モル％〜約４モル％、または約０．１モル％〜約２モル％、または約０．２モル％〜約１モル％である。第１のアニオン含有量は、第１のタイプのアニオン性モノマー単位を含むことができ、第２のアニオン含有量は、第２のタイプのアニオン性モノマー単位を含むことができる。
【００４１】
第１の水溶性フィルムおよび第２の水溶性フィルムは、フィルム中のＰＶＯＨポリマーの合計量と比較して、独立して約０モル％〜約１０モル％のアニオン性モノマー単位（複数可）を含むことができる。第１の水溶性フィルムおよび第２の水溶性フィルムは、フィルム中の全ＰＶＯＨポリマーと比較して、独立して、少なくとも約０．２５モル％、少なくとも約０．５モル％、少なくとも約０．７５モル％、少なくとも約１．０モル％、少なくとも約１．２５モル％、または少なくとも約１．５モル％および／または約７．５モル％まで、約５．０モル％まで、約４．０モル％まで、約３．０モル％まで、約２．０モル％まで、または約１．５モル％までのアニオン性モノマー単位（複数可）を含む。例えば、第１のＰＶＯＨポリマーは、４モル％のアニオン性モノマー単位を含むコポリマーであり、第２のＰＶＯＨポリマーは、ホモポリマーである、２つのＰＶＯＨポリマーの５０重量％／５０重量％ブレンドを含むフィルムの場合、アニオン含有量は、全ＰＶＯＨポリマーの約２．０モル％である。または、例えば、第１のＰＶＯＨポリマーが４モル％のアニオン性モノマー単位を含むコポリマーであり、第２のＰＶＯＨポリマーが２モル％のアニオン性モノマー単位を含むコポリマーである、２つのＰＶＯＨポリマーの５０重量％／５０重量％ブレンドを含むフィルムの場合、アニオン含有量は全ＰＶＯＨポリマーの約３．０モル％である。あるいは、例えば、４モル％のアニオン性モノマー単位を含む１００重量％のＰＶＯＨコポリマーを含むフィルムの場合、アニオン含有量は全ＰＶＯＨポリマーの約４．０モル％である。
【００４２】
したがって、第１のＰＶＯＨポリマーがアニオン性モノマー単位を含むコポリマーであり、第２のＰＶＯＨポリマーがホモポリマーである２つのＰＶＯＨポリマーのブレンドを含むフィルムでは、フィルムのアニオン含有量は、コポリマー中のアニオン性モノマー単位のモル％を増加させるか、またはコポリマー／ホモポリマーブレンド中のコポリマーの重量％を増加させることによって増加させることができる。
【００４３】
ＰＶＯＨコポリマーは、２タイプ以上のアニオン性モノマー単位を含むことができる。好ましくは、ＰＶＯＨコポリマーは、単一タイプのアニオン性モノマー単位を含む。
【００４４】
様々な実施形態において、アニオン性モノマー単位は、ビニル酢酸、アクリル酸アルキル、マレイン酸、マレイン酸モノアルキル、マレイン酸ジアルキル、マレイン酸モノメチル、マレイン酸ジメチル、無水マイレン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、これらのアルカリ金属塩、これらのエステル、およびこれらの組み合わせ、から誘導されるアニオン性モノマーからなる群から選択することができる。
【００４５】
好ましくは、アニオン性モノマー単位は、マレイン酸、マレイン酸モノアルキル、マレイン酸ジアルキル、無水マレイン酸、これらのアルカリ金属塩、これらのエステル、およびこれらの組み合わせから誘導されるアニオン性モノマーからなる群から選択される。
【００４６】
より好ましくは、アニオン性モノマー単位は、マレイン酸、マレイン酸モノメチル、マレイン酸ジメチル、無水マレイン酸、これらのアルカリ金属塩、これらのエステル、およびこれらの組み合わせから誘導されるアニオン性モノマーからなる群から選択される。
【００４７】
第１の水溶性フィルムは第１の水溶性樹脂を含むことができ、第２の水溶性フィルムは第２の水溶性樹脂を含むことができる。第１の水溶性樹脂は、第２の水溶性樹脂と化学的に異なるものであってもよい。好ましくは、第１の水溶性樹脂は、少なくとも１種のポリビニルアルコールホモポリマーまたは少なくとも１種のポリビニルアルコールコポリマーまたはこれらのブレンドを含み、第２の水溶性樹脂は、少なくとも１種のポリビニルアルコールホモポリマーまたは少なくとも１種のポリビニルアルコールコポリマーまたはこれらのブレンドを含み、但し、第１の水溶性樹脂または第２の水溶性樹脂の少なくとも１種は、アニオン性モノマー単位を含む少なくとも１種のポリビニルアルコールコポリマーを含む。
【００４８】
第１の水溶性樹脂は、ポリビニルアルコールホモポリマーと、アニオン性モノマー単位を含むポリビニルアルコールコポリマーとのブレンドを含んでいてもよく、このブレンドは、任意に０重量％〜７０重量％の、アニオン性モノマー単位を含むポリビニルアルコールコポリマーの第１の水溶性樹脂と、３０重量％〜約１００重量％の、ポリビニルアルコールホモポリマーの第１の水溶性樹脂とを含む。ブレンドは、第１の水溶性樹脂の全重量に基づいて、１０％〜７０％、または１５％〜６５％、または２０％〜５０％、または３０％〜４０％の、アニオン性モノマー単位を含むポリビニルアルコールコポリマーを含むことができる。別のタイプの実施形態では、ブレンドは６５重量％以上のアニオン性ポリビニルアルコールコポリマー、または６５重量％以上のアニオン性ポリビニルアルコールコポリマーを含む。
【００４９】
第２の水溶性樹脂は、ポリビニルアルコールホモポリマーとアニオン性モノマー単位を含むアニオン性モノマー単位を含むポリビニルアルコールコポリマーとのブレンドを含んでいてもよく、任意には、ブレンドはフィルム中の第２の水溶性樹脂の全重量に基づいて、０％〜７０％のアニオン性モノマー単位を含むポリビニルアルコールコポリマーと、３０％〜１００％のポリビニルアルコールホモポリマーを含む。ブレンドは、フィルム中の第２の水溶性樹脂の全重量に基づいて、１０％〜７０％、または１５％〜６５％、または２０％〜５０％、または３０％〜４０％の、アニオン性モノマー単位を含むポリビニルアルコールコポリマーを含んでいてもよい。別のタイプの実施形態では、ブレンドは６５重量％以上のアニオン性ポリビニルアルコールコポリマー、または６５重量％を超えるアニオン性ポリビニルアルコールコポリマーを含む。
【００５０】
第１の水溶性樹脂および第２の水溶性樹脂は、アニオン性モノマー単位を含む異なるポリビニルアルコールコポリマーを含んでいてもよい。
【００５１】
好ましくは、第１の水溶性フィルムの、少なくとも１種のポリビニルアルコールホモポリマーまたは少なくとも１種のポリビニルアルコールコポリマーまたはこれらのブレンドと、第２の水溶性フィルムの、少なくとも１種のポリビニルアルコールホモポリマーまたはポリビニルアルコールコポリマーまたはこれらのブレンドは、独立して４ｃＰ〜４０ｃＰ、好ましくは１０ｃＰ〜３０ｃＰ、より好ましくは１１ｃＰ〜２６ｃＰの範囲の２５℃における脱塩水中の４％溶液粘度を有する。より好ましくは、第１の水溶性樹脂は、約８ｃＰ〜約４０ｃＰ、約１２ｃＰ〜約３０ｃＰ、または約１４ｃＰ〜約２６ｃＰの範囲の、２５℃における脱塩水中の４％溶液粘度を有する少なくとも１種のポリビニルアルコールホモポリマーまたは少なくとも１種のポリビニルアルコールコポリマーまたはそれらのブレンドを含み、第２の水溶性樹脂は、約４ｃＰ〜約３５ｃＰ、または約１０ｃＰ〜約２０ｃＰ、または約１０ｃＰ〜約１５ｃＰ、または約１１ｃＰ〜約１４ｃＰの範囲の、２５℃における脱塩水中の４％溶液粘度を有する少なくとも１種のポリビニルアルコールホモポリマーまたは少なくとも１種のポリビニルアルコールコポリマーまたはこれらのブレンドを含む。
【００５２】
好ましくは、第１の水溶性樹脂の少なくとも１種のポリビニルアルコールホモポリマーまたは少なくとも１種のポリビニルアルコールコポリマーまたはこれらのブレンドの２５℃における脱塩水中の４％溶液粘度は、第２の水溶性樹脂の少なくとも１種のポリビニルアルコールホモポリマーまたは少なくとも１種のポリビニルアルコールコポリマーまたはこれらのブレンドの２５℃における脱塩水中の４％溶液粘度よりも大きい。より好ましくは、第１の水溶性樹脂の少なくとも１種のポリビニルアルコールホモポリマーまたは少なくとも１種のポリビニルアルコールコポリマーまたはこれらのブレンドの２５℃における脱塩水中の４％溶液粘度と、第２の水溶性樹脂の少なくとも１種のポリビニルアルコールホモポリマーまたは少なくとも１種のポリビニルアルコールコポリマーまたはこれらのブレンドの２５℃における脱塩水中の４％溶液粘度の間の差は、約２ｃＰ〜約２０ｃＰ、または約３ｃＰ〜約１５ｃＰ、または約４ｃＰ〜約１２ｃＰである。
【００５３】
「差」とは、本明細書では、第１の水溶性樹脂の少なくとも１種のポリビニルアルコールホモポリマーまたは少なくとも１種のポリビニルアルコールコポリマーまたはこれらのブレンドの２５℃における脱塩水中の４％溶液粘度の値と、第２の水溶性樹脂の少なくとも１種のポリビニルアルコールホモポリマーまたは少なくとも１種のポリビニルアルコールコポリマーまたはこれらのブレンドの２５℃における脱塩水中の４％溶液粘度の値との差を意味する。
【００５４】
第１の水溶性樹脂および第２の水溶性樹脂が、ポリビニルアルコールホモポリマーとアニオン性モノマー単位を含むポリビニルアルコールコポリマーとのブレンドを含む場合、第１の水溶性樹脂のアニオン性モノマー単位を含むポリビニルアルコールコポリマーは、第１の粘度（μc1）を有していてもよく、第２の水溶性樹脂のアニオン性モノマー単位を含むポリビニルアルコールコポリマーは、第２の粘度（μc2）を有していてもよく、第１の水溶性樹脂のポリビニルアルコールホモポリマーは、第１の粘度（μh1）を有していてもよく、第２の水溶性樹脂のポリビニルアルコールホモポリマーは、第２の粘度（μh2）を有していてもよく、第１の水溶性樹脂は、ブレンド粘度（μblend1）を有していてもよく、第二の水溶性樹脂は、ブレンド粘度（μblend2）を有していてもよい。ブレンド粘度は重量平均であり、次のように計算することができる：ブレンド粘度＝ｅ＾（ｗ1（ｌｎμc1）＋ｗ2（ｌｎμh1））式中、ｅはオイラー数であり、ｗはそれぞれの水溶性樹脂の全重量に基づく重量％である。そして、粘度差は、いくつかの方法で計算することができる：
（ｉ）μc2＝μc1のとき、｜μc1−μc2｜＞０、
（ｉｉ）μh2＝μh1のとき、｜μh1−μh2｜＞０、または
（ｉｉｉ）｜μblend1−μblend2｜＞０。
【００５５】
好ましくは、第１のポリビニルアルコールホモポリマーおよび第２のポリビニルアルコールホモポリマーおよび第１のポリビニルアルコールコポリマーおよび第２のポリビニルアルコールコポリマーは、独立して、８０％〜９９％、好ましくは８５％〜９５％、より好ましくは８７％〜９３％の加水分解度を有する。
【００５６】
好ましくは、第１の水溶性フィルムおよび第２の水溶性フィルムは、独立して、フィルムの、３０重量％〜９０重量％、より好ましくは４０重量％〜８０重量％、さらにより好ましくは５０重量％〜７５重量％、最も好ましくは６０重量％〜７０重量％の水溶性樹脂含有量を有する。
【００５７】
第１のポリビニルアルコールホモポリマーおよび第２のポリビニルアルコールホモポリマーおよび第１のポリビニルアルコールコポリマーおよび第２のポリビニルアルコールコポリマーに加えて使用するための他の水溶性ポリマーには、これらに限定されないが、しばしばＰＶＯＨホモポリマーと呼ばれるビニルアルコール−酢酸ビニルコポリマー、ポリアクリレート、水溶性アクリレートコポリマー、ポリビニルピロリドン、ポリエチレンイミン、プルラン、プルラン、これらに限定されないが、グアーガム、アカシアガム、キサンタンガム、カラギーナン、およびデンプンを含む水溶性天然ポリマー、これらに限定されないが、加工デンプン、エトキシル化デンプン、およびヒドロキシプロピル化デンプンを含む、水溶性ポリマー誘導体、上記のコポリマー、ならびに上記のうちの任意の組み合わせが挙げられ得る。さらに他の水溶性ポリマーとしては、ポリアルキレンオキシド、ポリアクリルアミド、ポリアクリル酸、およびそれらの塩、セルロース、セルロースエーテル、セルロースエステル、セルロースアミド、ポリビニルアセテート、ポリカルボン酸、およびそれらの塩、ポリアミノ酸、ポリアミド、ゼラチン、メチルセルロース、カルボキシメチルセルロース、およびそれらの塩、デキストリン、エチルセルロース、ヒドロキシエチルセルロース、ヒドロキシプロピルメチルセルロース、マルトデキストリン、ポリメタクリレート、および上記のうちの任意の組み合わせが挙げられる。このような水溶性ポリマーは、ＰＶＯＨか否かにかかわらず、様々な供給業者から市販されている。
【００５８】
第１の水溶性フィルムは第１の保水量を有し、第２の水溶性フィルムは第２の保水量を有し、第１の保水量は第２の保水量よりも小さい。
【００５９】
第１の水溶性フィルムと第２の水溶性フィルムの保水量の差は、０．０１％〜１％、好ましくは０．０３％〜０．５％、最も好ましくは０．０５％〜０．３％である。第１の水溶性フィルムおよび第２の水溶性フィルムについては、以下でより詳細に説明する。「差」とは、本明細書では、第１の保水量の値と第２の保水量の値の差を意味する。「保水量」とは、本明細書では、試験されるフィルムの質量増加として測定される、特定の相対湿度および温度で一定期間にわたって水を吸収するフィルムの能力を意味する。保水量を測定する方法は、以下でより詳細に説明される。
【００６０】
好ましくは、第１の水溶性フィルムは、１％〜１０％、より好ましくは２％〜８％、最も好ましくは３％〜６％の保水量を有する。
【００６１】
好ましくは、第２の水溶性フィルムは、１．５％〜１２％、より好ましくは２．５％〜１０％、最も好ましくは３．５％〜８％の保水量を有する。
【００６２】
第１の水溶性フィルムは、３００％〜１６００％、好ましくは４００％〜１２００％、より好ましくは６００％〜１２００％の第１の引張破壊歪みを有することができる。引張破壊歪みを測定する方法は、以下でより詳細に説明される。
【００６３】
第２の水溶性フィルムは、３００％〜１２００％、好ましくは５００％〜１０００％、より好ましくは５００％〜１０００％の第２の引張破壊歪みを有することができる。引張破壊歪みとは、本明細書では、例えば、フィルムと洗剤または他の組成物とを含む単位用量物品のフィルムに接触させるような吸湿性組成物を含む組成物で予め平衡化されたフィルムの、応力が加えられたときに破断する前に伸びる、能力を意味する。引張破壊歪みを測定する方法は、以下でより詳細に説明される。
【００６４】
第１の引張破壊歪みと第２の引張破壊歪みとの差は、１０％〜１０００％、好ましくは１００％〜７５０％、より好ましくは２００％〜５００％であってもよい。「引張破壊歪みの差」とは、本明細書において、第１の引張破壊歪みの値と第２の引張破壊歪みの値との差を意味する。
【００６５】
好ましくは、第１の水溶性フィルムは第１の伸び弾性率を有し、第２の水溶性フィルムは第２の伸び弾性率を有し、第１の伸び弾性率は第２の伸び弾性率よりも大きく、第１の伸び弾性率と第２の伸び弾性率の差は０．５ＭＰａ〜１０ＭＰａ、好ましくは１ＭＰａ〜８ＭＰａ、より好ましくは２ＭＰａ〜７ＭＰａである。
【００６６】
「差」とは、本明細書では、第１の伸び弾性率の値と第２の伸び弾性率の値との差を意味する。「伸び弾性率」とは、本明細書では、応力が加えられたときにフィルムが伸びる能力を意味する。伸び弾性率の測定方法については、以下でより詳細に説明する。
【００６７】
好ましくは、第１の伸び弾性率は１ＭＰａ〜２０ＭＰａ、より好ましくは３ＭＰａ〜２０ＭＰａである。
【００６８】
好ましくは、第２の伸び弾性率は１ＭＰａ〜１５ＭＰａ、より好ましくは３ＭＰａ〜１５ＭＰａである。
【００６９】
好ましくは、水溶性単位用量物品は、単位用量物品の用量物品機械洗浄溶解試験方法に従う、６．２未満、好ましくは６未満、より好ましくは５．８未満の溶解プロファイルを示す。
【００７０】
第１および第２のフィルムは、独立して、不透明、透明または半透明であってもよい。第１および第２のフィルムは、独立して印刷領域を含むことができる。印刷領域は、フィルムの表面の１０〜８０％、または前記区画の内部空間と接触しているフィルムの表面の１０〜８０％、またはフィルムの表面の１０〜８０％および区画の表面の１０〜８０％をカバーすることができる。
【００７１】
印刷の領域は、フィルムの連続的な部分をカバーしてもよく、またはその部分をカバーしてもよく、すなわち、より小さい印刷の領域を含み、その合計は、フィルムの表面のまたは区画の内部空間と接触したフィルムの表面のまたはその両方の１０〜８０％を示す。
【００７２】
印刷の領域は、インク、顔料、染料、青色剤、またはこれらの混合物を含むことができる。印刷の領域は、不透明、半透明または透明であってもよい。
【００７３】
印刷の領域は、単色を含むことができ、または複数色、さらには３色を含むことができる。印刷の領域は、白色、黒色、青色、赤色、またはそれらの混合物を含むことができる。印刷は、フィルムの表面上の層として存在してもよく、フィルムに少なくとも部分的に浸透してもよい。フィルムは、第１の面および第２の面を含む。印刷の領域は、フィルムのどちらの面に存在してもよく、またはフィルムの両面に存在してもよい。あるいは、印刷の領域は、フィルム自体の内部に少なくとも部分的に含まれていてもよい。
【００７４】
印刷の領域は、フレキソ印刷またはインクジェット印刷のような、標準的な技術を使用して達成することができる。好ましくは、印刷の領域は、フィルムが印刷された後、開いた区画の形状に成形されるフレキソ印刷によって達成される。次いで、この区画は、洗剤または他の組成物で満たされ、第２のフィルムが、区画の上に配置され、第１のフィルムにシールされる。印刷の領域は、フィルムの片面または両面上にあり得る。
【００７５】
あるいは、フィルムの全部または少なくとも一部が着色されるように、フィルムの製造中にインクまたは顔料を添加してもよい。
【００７６】
第１および第２のフィルムは、嫌悪剤、例えば苦味剤を独立して含んでもよい。適切な苦味剤としては、ナリンギン、オクタアセチルスクロース、塩酸キニーネ、安息香酸デナトニウム、またはそれらの混合物が挙げられるが、これらに限定されない。任意の適切なレベルの嫌悪剤をフィルムに使用することができる。適切なレベルには、１〜５０００ｐｐｍ、またはさらには１００〜２５００ｐｐｍ、またはさらには２５０〜２０００ｐｐｍが含まれるが、これらに限定されない。
【００７７】
第１のフィルムおよび／または第２のフィルムは、当業者によって一般に知られている他の補助成分、例えば、これらに限定されないが、可塑剤、可塑剤相溶化剤、界面活性剤、潤滑剤、剥離剤、充填剤、増量剤、架橋剤、粘着防止剤、抗酸化剤、脱粘着剤、消泡剤、層状シリケート型ナノクレイ（例えば、ナトリウムモンモリロナイト）のようなナノ粒子、漂白剤（例えば、二亜硫酸ナトリウム、亜硫酸水素ナトリウム、など）、嫌悪剤例えば苦味剤（例えば、安息香酸デナトニウム、デナトニウムサッカライド、および塩化デナトニウムのようなデナトニウム塩、オクタアセチルスクロース、キニーネ、ケルセチンおよびナリンゲンのようなフラボノイド、ならびにクアシンおよびブルシンのようなクアシノイド）、ならびに辛味（例えば、カプサイシン、ピペリン、イソチオシアン酸アリル、およびレシンフェラトキシン）、ならびに他の機能的成分のような、他の補助剤および加工助剤を、これらの意図される目的に適した量で含有し得る。可塑剤を含む実施形態が好ましい。このような薬剤の量は、個別または集合的に、最大約５０重量％、２０重量％、１５重量％、１０重量％、５重量％、４重量％、および／または少なくとも０．０１重量％、０．１重量％、１重量％、もしくは５重量％であり得る。
【００７８】
可塑剤としては、グリセリン、ジグリセリン、ソルビトール、エチレングリコール、ジエチレングリコール、トリエチレングリコール、ジプロピレングリコール、テトラエチレングリコール、プロピレングリコール、最大４００ＭＷのポリエチレングリコール、ネオペンチルグリコール、トリメチロールプロパン、ポリエーテルポリオール、ソルビトール、２−メチル−１，３−プロパンジオール（ＭＰＤｉｏｌ（登録商標））、エタノールアミン、およびこれらの混合物を挙げることができるが、これらに限定されない。好ましい可塑剤は、グリセリン、ソルビトール、トリエチレングリコール、プロピレングリコール、ジプロプレングリコール、２−メチル−１，３−プロパンジオール、トリメチロールプロパン、またはこれらの組み合わせである。可塑剤の全量は、全フィルム重量に基づき、約１０重量％〜約４５重量％、または１５重量％〜約３５重量％、または約２０重量％〜約３０重量％、または約２０重量％〜約４５重量％の範囲、例えば、約２５重量％であり得る。実施形態において、水溶性フィルム中の可塑剤の量は、水溶性フィルム中の全水溶性ポリマー１００部当たりの部分（ＰＨＲ）で表され、例えば少なくとも３０ＰＨＲ、または少なくとも３５ＰＨＲで存在する。可塑剤の総量は、例えば、最高で４０ＰＨＲまたは４５ＰＨＲまたは５０ＰＨＲであり得る。可塑剤の総量は、例えば、３０〜５０ＰＨＲ、約３２．５ＰＨ〜約４２．５ＰＨＲ、または３５〜４５ＰＨＲ、または３５〜４０ＰＨＲの範囲内、または３０ＰＨＲ超および４５ＰＨＲ未満、または４０ＰＨＲ〜５０ＰＨＲであり得る。可塑剤の総量は、３４または３７．５ＰＨＲであり得る。
【００７９】
水溶性フィルムに使用するための界面活性剤は当該技術分野において周知である。任意には、流延時の樹脂溶液の分散を助けるために界面活性剤が含まれる。適切な界面活性剤としては、非イオン性、カチオン性、アニオン性、および双性イオン性クラスが挙げられ得る。適切な界面活性剤としては、ポリオキシエチレン化ポリオキシプロピレングリコール、アルコールエトキシレート、アルキルフェノールエトキシレート、第三級アセチレングリコール、およびアルカノールアミド（非イオン性）、ポリオキシエチレン化アミン、第四級アンモニウム塩、および四級化ポリオキシエチレン化アミン（カチオン性）、ならびにアミンオキシド、Ｎ−アルキルベタイン、およびスルホベタイン（双性イオン性）が挙げられるが、これらに限定されない。他の適切な界面活性剤としては、スルホコハク酸ジオクチルナトリウム、グリセロールおよびプロピレングリコールのラクチル化脂肪酸エステル、脂肪酸のラクチルエステル、アルキル硫酸ナトリウム、ポリソルベート２０、ポリソルベート６０、ポリソルベート６５、ポリソルベート８０、レシチン、グリセロールおよびプロピレングリコールのアセチル化脂肪酸エステル、ならびに脂肪酸のアセチル化エステル、ならびにこれらの組み合わせが挙げられる。ある実施形態では、界面活性剤は、ポリオキシエチレン化ポリオキシプロピレングリコール、アルコールエトキシレート、アルキルフェノールエトキシレート、第三級アセチレングリコールおよびアルカノールアミド、ポリオキシエチレン化アミン、第四級アンモニウム塩および四級化ポリオキシエチレン化アミン、ならびにアミンオキシド、Ｎ−アルキルベタイン、スルホベタイン、ならびにこれらの組み合わせからなる群から選択される。
【００８０】
様々な実施形態において、水溶性フィルム中の界面活性剤の量は、約０．１重量％〜約８．０重量％、または約１．０重量％〜約７．０重量％、または約３重量％〜約７重量％、または約５重量％〜約７重量％の範囲にある。ある実施形態では、水溶性フィルム中の界面活性剤の量は、水溶性フィルム中の全水溶性ポリマー１００部当たりの部数（ｐｈｒ）で表され、約０．５ｐｈｒ〜約１２ｐｈｒの範囲で、約１．０〜約１１．０ｐｈｒ、約３．０ｐｈｒ〜約１０．５ｐｈｒ、または約１．０ｐｈｒ〜約２．０ｐｈｒの範囲で存在する。
【００８１】
適切な潤滑剤／離型剤には、脂肪酸およびその塩、脂肪アルコール、脂肪エステル、脂肪アミン、脂肪アミンアセテート、ならびに脂肪アミドが含まれ得るが、これらに限定されない。好ましい潤滑剤／離型剤は、脂肪酸、脂肪酸塩、および脂肪アミンアセテートである。ある種類の実施形態において、水溶性フィルム中の潤滑剤／離型剤の量は、約０．０２重量％〜約１．５重量％、任意で約０．１重量％〜約１重量％の範囲であり得る。
【００８２】
好適な充填剤／増量剤／粘着防止剤／脱粘着剤としては、デンプン、加工デンプン、架橋ポリビニルピロリドン、架橋セルロース、微結晶性セルロース、シリカ、金属酸化物、炭酸カルシウム、タルク、雲母、ステアリン酸およびその金属塩、例えば、ステアリン酸マグネシウムが挙げられるが、これらに限定されない。好ましい材料は、デンプン、加工デンプン、およびシリカである。ある種類の実施形態において、水溶性フィルム中の充填剤／増量剤／粘着防止剤／脱粘着剤の量は、例えば、約１重量％〜約６重量％、または約１重量％〜約４重量％、または約２重量％〜約４重量％、または約１ｐｈｒ〜約６ｐｈｒ、または約１ｐｈｒ〜約４ｐｈｒ、または約２ｐｈｒ〜約４ｐｈｒの範囲であり得る。
【００８３】
粘着防止剤（例えばＳｉＯ2および／またはステアリン酸））は、本フィルム中に少なくとも０．１ＰＨＲ、もしくは少なくとも０．５ＰＨＲ、もしくは少なくとも１ＰＨＲの量で、または約０．１〜５．０ＰＨＲ、もしくは約０．１〜約３．０ＰＨＲ、もしくは約０．４〜１．０ＰＨＲ、もしくは約０．５〜約０．９ＰＨＲ、もしくは約０．５〜約２ＰＨＲ、もしくは約０．５〜約１．５ＰＨＲ、もしくは０．１〜１．２ＰＨＲ、もしくは０．１〜４ＰＨＲの範囲、例えば０．５ＰＨＲ、０．６ＰＨＲ、０．７ＰＨＲ、０．８ＰＨＲ、または０．９ＰＨＲの量で存在し得る。
【００８４】
粘着防止剤がＳｉＯ2粒子である場合、粘着防止剤に好適なメジアン粒子径としては、約３もしくは約４ミクロン〜約１１ミクロン、または約４〜約８ミクロン、または約５〜約６ミクロンの範囲、例えば５、６、７、８、または８ミクロンのメジアン径が挙げられる。好適なＳｉＯ2は、水性系で使用するために設計された未処理の合成非結晶質シリカである。
【００８５】
洗剤組成物
洗剤組成物は、自由流動性粉末、液体、圧縮固体、ゲルまたはそれらの混合物の形態であり得る。
【００８６】
洗剤組成物は、自由流動性粉末の形態であり得る。そのような自由流動性粉末は、１００ミクロン〜１５００ミクロン、好ましくは１００ミクロン〜１０００ミクロンとの間、より好ましくは１００ミクロン〜７５０ミクロンの平均粒子径を有することができる。当業者は、粒子径を測定するための標準的技術を知っているであろう。洗剤組成物は、自由流動性洗濯洗剤組成物であってもよい。
【００８７】
洗剤組成物は液体であってもよい。本発明の液体洗剤組成物に関して、用語「液体」は、分散液、ゲル、ペーストなどの形態を包含する。液体組成物はまた、適切に細分された形態のガスを含むことができる。しかしながら、液体組成物は、錠剤または顆粒のような全体的に非液体である形態を除外する。
【００８８】
洗剤組成物は、液体洗濯洗剤組成物であってもよい。用語「液体洗濯洗剤組成物」は、例えば家庭用洗濯機での洗濯で、布地を濡らして処理することができる液体を含む任意の洗濯洗剤組成物を指す。
【００８９】
洗濯洗剤組成物は、主な洗浄プロセス中に使用されるが、前処理組成物または浸漬組成物として使用することもできる。
【００９０】
洗濯洗剤組成物には、布地洗剤、布地柔軟剤、２ｉｎ１柔軟剤入り洗剤、前処理組成物などが含まれる。
【００９１】
洗濯洗剤組成物は、漂白剤、漂白触媒、染料、色相染料、光沢剤、アルコキシル化ポリアミンおよびポリエチレンイミンを含む洗浄ポリマー、汚れ放出ポリマー、界面活性剤、溶媒、染料移行防止剤、キレート剤、ビルダー、酵素、香料、カプセル化された香料、ポリカルボキシレート、レオロジー改質剤、構造化剤、ヒドロトロープ、顔料および染料、乳白剤、防腐剤、抗酸化剤、加工助剤、カチオン性ポリマーを含むコンディショニングポリマー、抗菌剤、水酸化物およびアルカノールアミンのようなｐＨトリミング剤、起泡抑制剤、およびこれらの混合物から選択される成分を含んでもよい。
【００９２】
界面活性剤は、アニオン性、カチオン性、双性イオン性、非イオン性、両性またはこれらの混合物から選択することができる。好ましくは、布地ケア組成物は、アニオン性、非イオン性またはそれらの混合物を含む。
【００９３】
アニオン性界面活性剤は、直鎖アルキルベンゼンスルホネート、アルキルエトキシレートサルフェートおよびこれらの組み合わせから選択することができる。
【００９４】
本明細書で有用な適切なアニオン性界面活性剤は、液体洗剤製品に典型的に使用される任意の従来のアニオン性界面活性剤タイプを含むことができる。これらには、アルキルベンゼンスルホン酸およびその塩、ならびにアルコキシル化または非アルコキシル化アルキル硫酸塩材料が含まれる。
【００９５】
非イオン性界面活性剤は、脂肪アルコールアルコキシレート、オキソ合成脂肪アルコールアルコキシレート、ゲルベアルコールアルコキシレート、アルキルフェノールアルコールアルコキシレートまたはこれらの混合物から選択することができる。本明細書で使用するのに適した非イオン性界面活性剤は、アルコールアルコキシレート非イオン性界面活性剤を含む。アルコールアルコキシレートは、一般式：Ｒ1（ＣmＨ2mＯ）nＯＨに相当する物質であり、式中、Ｒ1はＣ8〜Ｃ16アルキル基であり、ｍは２〜４であり、ｎは約２〜１２の範囲である。一態様では、Ｒ1は、約９〜１５個の炭素原子、または約１０〜１４個の炭素原子を含む、第一級または第二級であってもよいアルキル基である。一態様では、アルコキシル化脂肪アルコールはまた、１分子当たり約２〜１２個のエチレンオキシド部分、または１分子当たり約３〜１０個のエチレンオキシド部分を平均して含むエトキシル化物質である。
【００９６】
本発明の洗濯洗剤組成物に用いられるシェーディング染料は、高分子または非高分子染料、顔料、またはそれらの混合物を含み得る。好ましくは、シェーディング染料は、発色団成分および高分子成分を含む高分子染料を含む。発色団成分は、光に暴露されると、青、赤、バイオレット、紫、またはそれらの組み合わせの波長範囲の光を吸収することを特徴とする。一態様では、発色団成分は、水および／またはメタノール中で約５２０ナノメートル〜約６４０ナノメートルの吸光度スペクトル最大値を示し、別の態様では、水および／またはメタノール中約５６０ナノメートル〜約６１０ナノメートルの吸収度スペクトル最大値を示す。
【００９７】
任意の適切な発色団を使用することができるが、染料発色団は、好ましくは、ベンゾジフラン、メチン、トリフェニルメタン、ナフタレンイミド、ピラゾール、ナフトキノン、アントラキノン、アゾ、オキサジン、アジン、キサンテン、トリフェノジオキサジンおよびフタロシアニン染料発色団から選択される。モノおよびジアゾ染料発色団が好ましい。
【００９８】
染料は、有機合成経路の直接の結果である未精製混合物の形態で洗剤組成物に導入されてもよい。したがって、染料ポリマーに加えて、未反応出発物質、副反応の生成物、および任意の重合工程から生じると予想されるような反復単位の異なる鎖長を含む染料ポリマーの混合物の少量が存在してもよい。
【００９９】
洗濯洗剤組成物は、洗浄性能および／または布地ケア利益を提供する１種以上の洗剤酵素を含むことができる。好適な酵素の例は、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ（ｍａｌａｎａｓｅ）、β−グルカナーゼ、アラビノシダーゼ、ヒアルロニダーゼ、コンドロイチナーゼ、ラッカーゼ、およびアミラーゼ、またはそれらの混合物が挙げられるが、これらに限定されるものではない。典型的な組み合わせは、プロテアーゼ、リパーゼ、クチナーゼおよび／またはセルラーゼのような従来の適用可能な酵素のアミラーゼと組み合わせたカクテルである。
【０１００】
本発明の洗濯用洗剤組成物は、１種以上の漂白剤を含むことができる。漂白触媒以外の適切な漂白剤には、光漂白剤、漂白活性化剤、過酸化水素、過酸化水素源、予め形成された過酸およびそれらの混合物が含まれる。
【０１０１】
組成物は、光沢剤を含んでもよい。適切な光沢剤は、ｂｒｉｇｈｔｅｎｅｒ  １５のようなスチルベンである。他の適切な光沢剤は、疎水性光沢剤およびｂｒｉｇｈｔｅｎｅｒ  ４９である。光沢剤は、３〜３０マイクロメートル、または３マイクロメートル〜２０マイクロメートル、または３〜１０マイクロメートルの範囲内の重量平均粒子径を有する微粒子化した粒子状形態であってもよい。光沢剤は、アルファまたはベータ結晶形態であり得る。
【０１０２】
本明細書の組成物はまた、任意に、１種以上の銅、鉄および／またはマンガンキレート剤を含有してもよい。キレート剤は、１−ヒドロキシエタンジホスホン酸（ＨＥＤＰ）およびその塩、Ｎ、Ｎ−ジカルボキシメチル−２−アミノペンタン−１，５−二酸およびその塩、２−ホスホノブタン−１，２，４−トリカルボン酸およびその塩、およびこれらの任意の組み合わせを含む。
【０１０３】
本発明の組成物はまた、１つ以上の染料移行防止剤を含むことができる。適切な高分子染料移行防止剤には、ポリビニルピロリドンポリマー、ポリアミンＮ−オキシドポリマー、Ｎ−ビニルピロリドンとＮ−ビニルイミダゾールのコポリマー、ポリビニルオキサゾリドンおよびポリビニルイミダゾールまたはそれらの混合物が含まれるが、これらに限定されない。
【０１０４】
洗濯洗剤組成物は、１種以上のポリマーを含むことができる。好適なポリマーとしては、カルボキシレートポリマー、ポリエチレングリコールポリマー、ポリエステル汚れ放出ポリマー例えば、テレフタレートポリマー、アミンポリマー、セルロースポリマー、染料移行防止ポリマー、染料固定ポリマー例えば、任意に１：４：１の比の、イミダゾールとエピクロロヒドリンの縮合によって製造された縮合オリゴマー、ヘキサメチレンジアミン誘導体ポリマー、およびこれらの任意の組み合わせが挙げられる。
【０１０５】
他の好適なセルロース系ポリマーは、０．０１〜０．９９の置換度（ＤＳ）と、ブロッキネス度（ｄｅｇｒｅｅ  ｏｆ  ｂｌｏｃｋｉｎｅｓｓ）（ＤＢ）が、ＤＳ＋ＤＢが少なくとも１．００であるかＤＢ＋２ＤＳ−ＤＳ2が少なくとも１．２０であるものを有してもよい。置換セルロース系ポリマーは、少なくとも０．５５の置換度（ＤＳ）を有することができる。置換セルロース系ポリマーは、少なくとも０．３５のブロッキネス度（ＤＢ）を有することができる。置換セルロース系ポリマーは、１．０５〜２．００のＤＳ＋ＤＢを有することができる。適切な置換セルロースポリマーは、カルボキシメチルセルロースである。
【０１０６】
別の好適なセルロース系ポリマーはカチオン変性ヒドロキシエチルセルロースである。
【０１０７】
適切な香料には、香料マイクロカプセル、シッフ塩基香料／ポリマー複合体を含むポリマー補助香料送達システム、デンプンカプセル化香料アコード、香料充填ゼオライト、ブルーミング香料アコード、およびこれらの任意の組み合わせが含まれる。好適な香料マイクロカプセルは、メラミンホルムアルデヒドをベースとし、典型的にはメラミンホルムアルデヒドを含むシェルによってカプセル化された香料を含む。このような香料マイクロカプセルには、ポリビニルホルムアミド（ＰＶＦ）および／またはカチオン変性ヒドロキシエチルセルロース（ｃａｔＨＥＣ）のようなカチオンおよび／またはカチオン前駆物質をシェル中に含むことが非常に適している。
【０１０８】
適切な起泡抑制剤には、シリコーンおよび／またはステアリン酸などの脂肪酸が含まれる。
【０１０９】
洗濯用洗剤組成物は着色されていてもよい。液体洗濯洗剤組成物の色は、物品のフィルム上の任意の印刷領域と同じであっても異なっていてもよい。単位投与量物品の各区画は、異なる色を有してもよい。好ましくは、液体洗濯洗剤組成物は、少なくとも１６の平均アルコキシル化度を有する非実質的な染料を含む。
【０１１０】
その他の組成物
単位用量物品内で使用するための組成物は、非洗剤組成物および／または非家庭用ケア組成物であってもよい。布地または家庭用ケア組成物は、布地処理、硬質表面、エアーケア、カーケア、食器洗い、布地コンディショニングおよび軟化、洗濯洗剤、洗濯およびリンス添加および／またはケア、硬質表面洗浄および／または処理、消費者または業務向け用途のための他の洗浄のためものを含む。非家庭用ケア組成物は他の用途に使用される。非家庭用ケア組成物は、例えば、農業用組成物、航空用組成物、食品および栄養組成物、工業用組成物、家畜用組成物、海洋用組成物、医療用組成物、商業用組成物、軍事および準軍事用組成物、オフィス用組成物、ならびにレクリエーション用および公園用組成物、ペット用組成物、水処理用組成物から選択でき、布地および家庭用ケア組成物を除いて、任意のこのような用途に適用可能な洗浄および洗剤組成物を含む。
【０１１１】
１つのタイプの実施形態は、布地ケア組成物または家庭用ケア組成物を含有するシールされた区画と、ポリビニルアルコールホモポリマーとアニオン性ポリビニルアルコールコポリマーとのブレンドを含むフィルムと、を含み、ならびに第１の水溶性フィルムおよび第２の水溶性フィルムの両方が、６５重量％以上のアニオン性ポリビニルアルコールコポリマーを含むブレンドを含む、本明細書に記載される物品を含むことが企図される。
【０１１２】
別のタイプの実施形態は、布地ケア組成物または家庭用ケア組成物を含有するシールされた区画と、少なくとも２種のアニオン性ポリビニルアルコールコポリマーのブレンドを含むフィルムと、を含み、ならびに第１の水溶性フィルムおよび第２の水溶性フィルムの両方がこのため、少なくとも２種のアニオン性ポリビニルアルコールコポリマーのブレンドを含む、本明細書に記載される物品を含むことが企図される。
【０１１３】
１つのタイプの実施形態では、組成物は、農薬、例えば１種以上の殺虫剤、殺真菌剤、除草剤、有害生物防除剤（ｐｅｓｔｉｃｉｄｅ）、殺ダニ剤、忌避剤、誘引剤、枯れ葉剤（ｄｅｆｏｌｉａｍｅｎｔ）、植物成長調節剤、肥料、殺細菌剤、微量栄養素、微量元素を含む。適切な農薬および補助薬剤は、米国特許第６，２０４，２２３号ならびに同第４，６８１，２２８号およびＥＰ０９８９８０３Ａ１に記載されている。例えば、適切な除草剤は、パラコート塩（例えば、パラコートジクロライドまたはパラコートビス（メチルサルフェート）、ジクワット塩（例えば、ジクワットジブロミドまたはジクワットアルギン酸塩）、およびグリフォセートまたはその塩またはエステル（例えば、グリホセートイソプロピルアンモニウム、グリホセートセスキナトリウムまたはグリホサートトリメシウム、スルホセートとしても知られている）が挙げられる。不適合な対の作物保護化学物質は、例えば米国特許第５，５５８，２２８号に記載されているように、別々のチャンバで使用することができる。使用することができる不適合な対の作物保護化学物質は、例えば、ベンスルフロンメチルとモリネート、２，４−Ｄとチフェンスルフロンメチル、２，４−Ｄとメチル２−［［［［Ｎ−４−メトキシ−６−メチル−１，３，５−トリアジン−２−イル］−Ｎ−メチルアミノ］カルボニル］アミノ］−スルホニル］ベンゾエート、２，４−Ｄとメトスルフロンメチル、マネブまたはマンコゼブとベノミル、グリホサートとメトスルフロンメチル、トラロメトリンおよび任意の有機リン酸塩、例えばモノクロトホスまたはジメトエート、ブロモキシニルとＮ−［［４，６−ジメトキシピリミジン−２−イル］−アミノ］カルボニル］−３−（エチルスルホニル）−２−ピリジン−スルホンアミド、ブロモキシニルとメチル２−［［［［（４−メチル−６−メトキシ）−１，３，５−トリアジン−２−イル）アミノ］カルボニル］アミノ］スルホニル］−ベンゾエート、ブロモキシニルとメチル２−［［［［Ｎ−（４−メトキシ−６−メチル−１，３，５−トリアジン−２−イル）−Ｎ−メチルアミノ］カルボニル］アミノ］−スルホニル］ベンゾエートが挙げられる。別の関連するタイプの実施形態では、組成物は、任意に土壌と一緒に、１種以上の種子を含み、さらには任意には、マルチ、砂、ピートモス、ウォータージェリー結晶、および肥料から選択される１種以上の追加成分と一緒に含む、例えば米国特許第８，３３３，０３３号に記載されているタイプの実施形態を含む。
【０１１４】
別のタイプの実施形態では、組成物は水処理剤である。そのような薬剤には、例えば米国特許出願公開第２０１４／０１１０３０１号および米国特許第８，７２８，５９３号に記載されているような積極的な酸化化学物質が含まれる。例えば、消毒剤（ｓａｎｉｔｉｚｉｎｇ  ａｇｅｎｔ）には、次亜塩素酸ナトリウム、次亜塩素酸カルシウム、次亜塩素酸リチウムなどの次亜塩素酸塩、ジクロロイソシアヌル酸（「ジクロル」またはジクロロ−ｓ−トリアジントリオン、１，３−ジクロロ−１，３，５−トリアジナン−２，４，６−トリオンとも呼ばれる）およびトリクロロイソシアヌル酸（「トリクロル」または１，３，５−トリクロロ−１，３，５−トリアジナン−２，４，６−トリオンとも呼ばれる）などの塩素化イソシアヌレートを含むことができる。消毒化合物の塩および水和物もまた意図される。例えば、ジクロロイソシアヌル酸は、とりわけ、ジクロロイソシアヌル酸ナトリウム、ジクロロイソシアヌル酸ナトリウム二水和物として提供され得る。臭素含有消毒剤はまた、単位用量包装用途での使用に好適であり得、とりわけ１，３−ジブロモ−５，５−ジメチルヒダントイン（ＤＢＤＭＨ）、２，２−ジブロモ−３−ニトリロプロピオンアミド（ＤＢＮＰＡ）、ジブロモシアノ酢酸アミド、１−ブロモ−３−クロロ−５，５−ジメチルヒダントイン、および２−ブロモ−２−ニトロ−１，３−プロパンジオールなどである。酸化剤は、米国特許第７，４７６，３２５号に記載されているもの、例えばペルオキシモノ硫酸水素カリウムであってもよい。組成物は、例えば、米国特許出願公開第２００８／０１８５３４７号に記載されているようなｐＨ調整化学薬品であってもよく、例えば、酸性成分およびアルカリ成分を含み、組成物が水と接触したときに発泡性であり、水のｐＨを調整することができる。好適な成分には、重炭酸ナトリウム、重硫酸ナトリウム、水酸化カリウム、スルファミン酸、有機カルボン酸、スルホン酸、およびリン酸二水素カリウムが含まれる。緩衝剤ブレンドとして、例えば、ホウ酸、炭酸ナトリウム、グリコール酸、およびオキソンモノ過硫酸塩を含み得る。
【０１１５】
水処理剤は、例えば米国特許出願公開第２０１４／０１２４４５４号に記載されているような凝集剤であってもよく、または凝集剤を含むことができる。凝集剤は、ポリマー凝集剤を含むことができ、例えばポリアクリルアミド、ポリアクリルアミドコポリマー例えば、ジアリルジメチルアンモニウムクロライド（ＤＡＤＭＡＣ）、ジメチルアミノエチルアクリレート（ＤＭＡＥＡ）、ジメチルアミノエチルメタクリレート（ＤＭＡＥＭ）、３−メチルアミドプロピルトリメチルアンモニウムクロライド（ＭＡＰＴＡＣ）またはアクリル酸の、アクリルアミドコポリマー、カチオン性ポリアクリルアミド、アニオン性ポリアクリルアミド、中性ポリアクリルアミド、ポリアミン、ポリビニルアミン、ポリエチレンイミン、ポリジメチルジアリルアンモニウムクロライド、ポリオキシエチレン、ポリビニルアルコール、ポリビニルピロリドン、ポリアクリル酸、ポリリン酸、ポリスチレンスルホン酸、またはそれらの任意の組み合わせを含むことができる。凝集剤は、酢酸キトサン、乳酸キトサン、アジピン酸キトサン、グルタミン酸キトサン、コハク酸キトサン、リンゴ酸キトサン、クエン酸キトサン、フマル酸キトサン、塩酸キトサンおよびこれらの組み合わせから選択することができる。水処理用組成物は、例えばジルコニウム化合物、希土類ランタニド塩、アルミニウム化合物、鉄化合物、またはこれらの任意の組み合わせから選択される一種以上の、リン酸塩除去物質を含むことができる。
【０１１６】
組成物は、例えば、米国特許出願第２００６／０１７２９１０号に記載されているような水垢除去組成物、例えば、クエン酸またはマレイン酸またはその硫酸塩、またはこれらの任意の混合物であってもよい。様々な他のタイプの組成物が、微粒子を含む本明細書に記載された単位用量物品での使用のために企図され、例えば、ＵＳＲＥ２９０５９Ｅに記載されているようなダウンフェザー、米国特許出願公開第２００４／０１４４６８２号および同第２００６／０１７３４３０号に記載されているような超吸収性ポリマー、米国特許第３，５８０，３９０号および米国特許出願公開第２０１１／００５４１１１号に記載されているような顔料および染み剤、米国特許第８，１６３，１０４号に記載されているようなロウ付けフラックス（例えば、アルカリ金属フルオロアルミネート、アルカリ金属フルオロシリケートおよびアルカリ金属フルオロ亜鉛酸塩）、米国特許出願公開第２００７／０００３７１９号に記載されているような食品（例えば、コーヒー粉末または乾燥スープ）、および米国特許第４，４６６，４３１号に記載されているような創傷被覆材である。
【０１１７】
単位用量物品の少なくとも１つの区画は、固体を含むことができる。存在する場合、固体は単位用量物品の少なくとも５重量％の濃度で存在することができる。
【０１１８】
単位用量物品の作製方法
当業者は、本発明の洗剤または他の組成物を作製するためのプロセスを知っているであろう。当業者は、洗剤または他の組成物を作製するための標準的なプロセスおよび装置を知っているであろう。
【０１１９】
当業者は、本発明の任意の態様による単位用量物品を作製するための標準的技術を知っているであろう。限定するものではないが、熱成形および真空成形技術を含む標準的な成形プロセスを使用することができる。
【０１２０】
本発明による水溶性単位用量物品を作製する好ましい方法は、第１の水溶性フィルムを型内で成形してキャビティを形成し、このキャビティに洗剤組成物または他の組成物を充填し、キャビティを閉鎖するために第１のフィルム上に第２のフィルムを置き、好ましくは溶剤シーリングによって第１および第２のフィルムを一緒にシールするが、溶剤は好ましくは水を含み、水溶性単位用量物品を生成することを含む。
【０１２１】
試験プロトコル
単位用量物品機械洗浄溶解試験方法
この方法は、ストレスを加える洗濯機条件下で洗濯用水溶性単位用量物品の相対的溶解特性を評価するために設計されている。この方法のために、ＥＭＰＡ２２１搭載物（ＥＭＰＡ２２１供給源：Ｓｗｉｓｓａｔｅｓｔ−ＳＷＩＳＳａｔｅｓｔ試験材料、Ｍｏｖｅｎｓｔｒａｓｓｅ  １２  ＣＨ９０１５  Ｓｔ  Ｇａｌｌｅｎ、スイス）およびＤｉｇｉｅｙｅ写真撮影装置（ＶｅｒｉＶｉｄｅ製Ｄｉｇｉｅｙｅ）で調整されたＥｌｅｃｔｒｏｌｕｘ  Ｐｒｏｇｒａｍｍａｂｌｅ  Ｗａｓｈｉｎｇ  ｍａｃｈｉｎｅタイプＷ５６５Ｈを使用した。
【０１２２】
調整されたＥＭＰＡ２２１搭載物は、洗濯機染色用の市販の染色溶液（ダイロンゴールドフィッシュオレンジ洗濯機用染料（Ｎ°５５））を用いて搭載物をオレンジ色に着色することによって調製した。搭載物を着色するために、４０℃で標準的な綿用サイクルを用いて、任意の標準的な家庭用洗濯機を使用することができる。５００ｇの塩と２００ｇのダイロンゴールドフィッシュオレンジ機械用染料を洗濯機のドラムに加える。その結果、ドラムを塩と染料が見えなくなるまで左右に動かした。２５個のＥＭＰＡ２２１アイテムは、その結果、アイテムを折りたたむことなくドラム上に均等に分配された（サイズ５０ｃｍ×５０ｃｍ、ほつれを防止するために端にオーバーロックをかけた）。４０℃での標準的な綿用サイクルを、１５ｇｐｇの水硬度で行った。サイクルの完了後、５０ｇのアリエルセンシティブ粉末（Ａｒｉｅｌ  Ｓｅｎｓｉｔｉｖｅ  ｐｏｗｄｅｒ）をディスペンサーに添加し、４０℃での通常の綿用サイクルを硬度１５ｇｐｇの水で運転した。このサイクルの完了後、洗剤を含まない４０℃での２回の追加の通常の綿用サイクルを、硬度１５ｇｐｇの水で行い、次いでアイテムをライン乾燥（ｌｉｎｅ−ｄｒｙｉｎｇ）させた。
【０１２３】
注意：新品のＥＭＰＡ２２１アイテムは、着色する前に糊抜きする必要があり、フロントローディングＭｉｅｌｅ洗濯機に２５個のアイテムを追加し、５０ｇのアリエルセンシティブ粉末と硬度１５ｇｐｇの水により６０℃で２回の短い綿用サイクル（約１時間３０分）を行い、続いて洗剤なしでおよび硬度１５ｇｐｇの水により６０℃で２回の短い綿用サイクル（約１時間３０分）を行い、次にタンブル乾燥させることによって、行った。
【０１２４】
Ｅｌｅｃｔｒｏｌｕｘ  Ｗ５６５プログラマブル洗濯機は２つのプログラムでプログラムされた。第１のプログラムは搭載物を均等に濡らすように設計された（プリウェットプログラム）。第２のプログラム（溶解プログラム）を利用してＷｅｓｔｅｒｎ  Ｅｕｒｏｐｅ  ｓｔｒｅｓｓｅｄ  ｃｙｃｌｅ設定の１０分をシミュレートし、続いて水を汲み出し、１１００ｒｐｍで３分間の脱水を開始した。
2019521919.tif 000002
【０１２５】
５０個の染色されたＥＭＰＡ２２１布（約２．４５ｋｇ）からなる搭載物をＥｌｅｃｔｒｏｌｕｘ  Ｗ５６５洗濯機に均一に導入し、プリウェットプログラムを開始した。プレウェットプログラムの後、６つの水溶性単位用量物品を濡れた搭載物にわたって均一に分配し、その後溶解プログラムを開始した。全プログラムの最後に、専門の採点者により残留物を評価するための格付け室（Ｄ６５照明条件を備えている）に濡れた搭載物を移した。残りの界面活性剤または過剰のポリマー樹脂のために変色点を有する各布は、画像解析のための搭載物から選択された。
【０１２６】
この画像解析は、Ｄｉｇｉ−Ｅｙｅカメラを使用して、選択した布地の各面の画像を取得することによって行われた（設定：「ｄ９０散乱光。シャッター時間１／４。口径８」）。コントラストを高めるため、布を灰色または黒色の背景に置くべきであった。この後、画像分析ソフトウェアにより画像を評価して、負荷中に検出された残留物の総サイズ（ピクセル数）を計算した。このツールは、デルタＥ閾値（デルタＥ＝６）を使用して、通常のバラストとは異なる色のスポットを特定することによって残留物を検出する。次に、１つの機械および搭載物について、残留物スコアを、搭載物に存在する残留物の総面積を合計することによって計算する。総残留物面積の対数値を計算し、４回の外部繰り返し、すなわち４回の異なる洗濯機運転の平均が報告された。
【０１２７】
単位用量物品強度およびシール不良試験方法
この試験方法は、最大１００ｋＮ（キロニュートン）の荷重セルを備えたＩｎｓｔｒｏｎ  Ｕｎｉｖｅｒｓａｌ  Ｍａｔｅｒｉａｌｓ  Ｔｅｓｔｉｎｇ  ｉｎｓｔｒｕｍｅｎｔ  Ｉｎｓｔｒｏｎ  Ｉｎｄｕｓｔｒｉａｌ  Ｐｒｏｄｕｃｔｓ、８２５  Ｕｎｉｖｅｒｓｉｔｙ  Ａｖｅ、Ｎｏｒｗｏｏｄ、ＭＡ  ０２０６２−２６４３）を用いて、単位用量物品強度およびシール不良を決定するための実施を記載する。単位用量物品の圧縮を介して、この方法は、フィルムおよびシール領域に圧力をかけることによって単位用量物品の全体的な強度（ニュートン単位）を決定する。単位用量物品強度（ニュートン単位）は、単位用量物品が壊れる前にサポートできる最大荷重として定義される。２５０Ｎ未満の圧力でシール領域に開口する単位用量物品は、シール不良として報告され、平均単位用量物品強度を決定する際には考慮されない。
【０１２８】
単位用量物品強度およびシール不良は、単位用量物品製造の１時間後すぐ測定され、フィルム／単位用量物品は変換後に硬化時間を有するようにした。この方法は、３０〜４０％の相対湿度（ＲＨ）と２０〜２３℃の間の室内環境で実施された。貯蔵単位用量物品は、試験前に１時間、試験室環境に再平衡させた。
【０１２９】
図１は、単位用量物品強度試験およびシール不良試験の基本構成の概略図を示す。単位用量物品強度およびシール不良を測定するために、単位用量物品５１０をプラスチック脱気バッグ５００（クロージャ付き１５０ｍｍ×１２４ｍｍ、厚さ６０ミクロン、例えばＲａｊａグリップＲＧＰ６Ｂ）に封入し、単位用量物品破裂時の作業環境の汚染を防いだ。バッグ内に封入後、単位用量物品５１０を、計器の２つの圧迫板５２０，５３０の間の中央に配置する。単位用量物品５１０は、直立位置に配置され、幅のシール寸法５４０（例えば、検査された実際の単位用量物品では４１ｍｍ、シール領域を取り囲む定義された長方形の平面内の最も小さい寸法）が圧縮プレート間（ｘ方向）にあり、応力が幅のシールに加えられる。圧縮のために、プレート５２０および５３０の間の距離を減少させる速度は６０ｍｍ／分に設定される。テストレッグごとに１０回繰り返し、平均単位用量物品強度およびシール不良データを報告する。
【０１３０】
引張歪み試験とｅ−モジュラス試験
引張歪み（ＴＳ）試験による引張歪みおよびモジュラス（ＭＯＤ）試験によるモジュラス（伸び弾性率または引張応力）によって特徴付けられるか、またはこれらについて試験される水溶性フィルムを、以下のように分析する。この手順は、ＡＳＴＭ  Ｄ  ８８２（「薄いプラスチックシートの引張特性のための標準試験方法」）に従う、引張歪みの決定およびｅ−モジュラスの決定を含む。フィルムデータの収集には、ＩＮＳＴＲＯＮ引張試験装置（モデル５５４４引張試験機または同等物、Ｉｎｓｔｒｏｎ  Ｉｎｄｕｓｔｒｉａｌ  Ｐｒｏｄｕｃｔｓ，８２５  Ｕｎｉｖｅｒｓｉｔｙ  Ａｖｅ．，Ｎｏｒｗｏｏｄ，ＭＡ  ０２０６２−２６４３）が使用された。信頼できる切削工具（例えばＪＤＣ精密試料カッター、Ｍｏｄｅｌ  １−１０、Ｔｈｗｉｎｇ  Ａｌｂｅｒｔ  Ｉｎｓｔｒｕｍｅｎｔ  Ｃｏｍｐａｎｙ、Ｐｈｉｌａｄｅｌｐｈｉａ、ＰＡ  ＵＳＡ製）でそれぞれ切断した最低３つの試験片を寸法安定性および再現性を保証するために、機械方向（ＭＤ）（適用可能な場合）、すなわち水溶性フィルムロール巻取り／巻き出し方向で各測定について試験した。水溶性フィルムは、環境条件を試験するために最低４８時間予備調整された。試験は、２３±２．０℃および３５±５％相対湿度の標準的な実験室雰囲気中で実施された。引張歪みまたはモジュラスの決定のために、３．０±０．１５ｍｉｌ（または７６．２±３．８μｍ）の厚さを有する単一のフィルムシートの１インチ幅（２．５４ｃｍ）の試料を調製する。ｅモジュラス試験のために、バージンフィルムを試験した。引張歪み試験のために、試験フィルムを、最初に試験洗剤中に下記のプロトコルに従って予備浸漬した。その後、試料をＩＮＳＴＲＯＮ引張試験機に移して試験を進めた。５００Ｎロードセルを備える引張試験機は、製造業者の指示に従って用意され、較正された。正しいグリップおよびフェースを取り付けた（ゴムコーティングされ、幅２５ｍｍである、型番号２７０２−０３２フェースを有するＩＮＳＴＲＯＮグリップ、または同等物）。試料を引張試験機に取り付け、１Ｎ／分の速度で伸長させ、ｅ−弾性率（すなわち、弾性変形領域における応力−歪み曲線の傾き）および引張破壊歪み（すなわち、フィルム破断時に達成された伸び％、すなわち１００％は開始長を反映し、２００％はフィルム破断時に２倍に延伸されたフィルムを反映する）を決定するために分析した。最低３つの試験片の平均を計算し、報告した。
【０１３１】
フィルムの予備浸漬プロトコル
液体家庭用洗剤組成物を封入するシールされた区画を形成するために使用されることを意図して１１ｃｍ×１２ｃｍのフィルムサンプルを両方のフィルムから調製した。試験フィルムを含むシールされた区画内に封入されることを意図した家庭用液体洗剤組成物の合計７５０ｍｌが各試験フィルムに必要であった。清浄な不活性ガラスレシピエントの底を薄い液体層で覆い、試験されるフィルムを液体上に広げた。フィルムの下に閉じ込められた気泡を静かに両側に押し込んだ。次いで、残りの液体を、フィルムが液体中に完全に浸漬されるように、フィルムの上に静かに注いだ。フィルムにしわがなく、気泡がフィルムに触れないようにする必要がある。フィルムは液体と接触したままで、密閉容器条件下、３５℃で、６日間、２１℃で１晩保存された。試験フィルムごとに、別々のガラスレシピエントを使用した。次にフィルムを貯蔵容器から取り出し、過剰の液体をフィルムから除去した。ベンチペーパーの上に置いたフィルムの上に紙を置き、次いでフィルムを乾燥紙で完全に拭き取った。結果として、フィルムは、上述の引張歪み環境試験条件に予備調整された。固体家庭用洗剤組成物を封入しようとする場合、引張歪み試験のためにバージンフィルムを使用した。
【０１３２】
保水量の測定方法
保水量はＤＶＳ（Ｄｙｎａｍｉｃ  Ｖａｐｏｒ  Ｓｏｒｐｔｉｏｎ）装置で測定した。使用した機器は、ＰｒｏＵｍｉｄ製のＳＰＳ−ＤＶＳ（浸透性キットを備えたｍｏｄｅｌ  ＳＰＳｘ−１μ−Ｈｉｇｈ  ｌｏａｄ）であった。ＤＶＳは吸湿／脱湿の測定に重量測定を使用し、完全に自動化されている。
【０１３３】
システムの精度は、ＲＨ（相対湿度）が０〜９８％の範囲では±０．６％、２５℃では±０．３℃である。温度は＋５〜＋６０℃の範囲で設定できる。この機器の微量天秤は、質量変化で０．１μｇを分解することができる。各フィルムの２つの複製を測定し、平均保水量値を報告する。
【０１３４】
試験の特定の条件については、５枚のフィルムを同時に試験することができる６つのパンのカルーセル（１パンが微量天秤の基準として使用され、空のままである必要がある）を使用した。
【０１３５】
各パンには、フィルムを固定するように設計されたネジ付きアルミニウムリングがある。フィルム片をパンの上に置き、穏やかに伸ばした後、リングを上に置き、フィルムをねじでしっかりと固定し、余分なフィルムを取り除いた。パン表面を覆うフィルムの直径は８０ｍｍであった。
【０１３６】
温度は２０℃に固定した。相対湿度（ＲＨ）を６時間３５％に設定し、次いで５分で５０％に徐々に上げた。ＲＨは１２時間で５０％のままであった。測定の合計持続時間は１８時間であった。
【０１３７】
サイクル時間（＝各パン測定間の時間）は１０分に設定され、ＤＶＳは時間に対する各重量結果を記録し、自動的に％Ｄｍを計算する（相対質量変化対フィルムの開始重量、すなわち１０％は、出発フィルム重量に対して１０％のフィルム重量増加を反映する）。
【０１３８】
保水量（または、２０℃で１２時間の一定時間中に５０％ＲＨサイクルにわたって得られた％Ｄｍ）は、５０％ＲＨでの％Ｄｍ値（５０％ＲＨで測定した最後の値）マイナス３５％ＲＨでの％Ｄｍ値（５０％ＲＨまで上昇する前の最後の値）の差により計算された。
【０１３９】
溶解および崩壊試験（ＭＳＴＭ  ２０５）
フィルムは、当該技術分野で既知である、ＵＳ２０１６００２４４４６で論じられている方法、ＭｏｎｏＳｏｌ  Ｔｅｓｔ  Ｍｅｔｈｏｄ  ２０５（ＭＳＴＭ  ２０５）に基づく溶解時間および崩壊時間を特徴とし得るか、またはそれらを試験され得る。
【０１４０】
以下の実施形態も考えられる。
【０１４１】
１．少なくとも１つの組成物を任意に含む少なくとも１つのシールされた区画を含む水溶性パウチであって、パウチは第１の水溶性フィルムおよび第２の水溶性フィルムを含み、
第１の水溶性フィルムが第２の水溶性フィルムにシールされて少なくとも１つのシールされた区画を形成し、
第１の水溶性フィルムは、第１の保水量および第１の引張破壊歪みを有し、
第２の水溶性フィルムは、第２の保水量および第２の引張破壊歪みを有し、
第１の保水量は第２の保水量よりも小さく、および第１の保水量と第２の保水量との差は約０．０１〜約１、または約０．０３〜約０．５または約０．０５〜約０．３であり、
第１の引張破壊歪みが第２の引張破壊歪みよりも大きく、第１の引張破壊歪みと第２の引張破壊歪みとの間の差が、約１０〜約１０００または約１００〜約７５０または約２００〜約５００である／
【０１４２】
２．第１の水溶性フィルムが第１の伸び弾性率を有し、第２の水溶性フィルムが第２の伸び弾性率を有し、第１の伸び弾性率が第２の伸び弾性率よりも大きく、第１の伸び弾性率と第２の伸び弾性率との間の差が、約０．５ｍＰａ〜約１０ｍＰａ、または約１ｍＰａ〜約８ｍＰａ、または約２ｍＰａ〜約７ｍＰａである、実施形態１に記載の水溶性パウチ。
【０１４３】
３．第１の保水量が、約４〜約６である、実施形態１または２のいずれか１つに記載の水溶性パウチ。
【０１４４】
４．第２の保水量が、約４〜約６である、実施形態１〜３のいずれか１つに記載の水溶性パウチ
【０１４５】
５．第１の引張破壊歪みが、約５００〜約１２００、または約７００〜約１２００、または約９００〜約１２００である、実施形態１〜４のいずれか１つに記載の水溶性パウチ。
【０１４６】
６．第２の引張破壊歪みが、約５００〜約１２００、または約５００〜約１０００、または約５００〜約９００である、実施形態１〜５のいずれか１つに記載の水溶性パウチ。
【０１４７】
７．第１の伸び弾性率が約８〜約２０、または約１０〜約２０である、実施形態２に記載の水溶性パウチ。
【０１４８】
８．第２の伸び弾性率が、約８〜約２０、または約８〜約１５である、実施形態２に記載の水溶性パウチ。
【０１４９】
９．第１の水溶性フィルムが、パウチに組み込む前に熱成形されている、実施形態１〜８のいずれか１つに記載の水溶性パウチ。
【０１５０】
１０．第２の水溶性フィルムが、パウチに組み込み前に熱成形されていない、実施形態１〜９のいずれか１つに記載の水溶性パウチ。
【０１５１】
１１．第１の水溶性フィルムおよび第２の水溶性フィルムのそれぞれが、約７６ミクロンの厚さおよび、ＭｏｎｏＳｏｌ試験法ＭＳＴＭ−２０５に従う２０℃の温度の水中で約３００秒以下のパウチへの組み込み前の溶解時間を有する、実施形態１〜１０のいずれか１つに記載の水溶性パウチ。
【０１５２】
１２．パウチが、シールされ、調整されおよびパウチ歪み試験に従い試験された第１の水溶性フィルムによって測定される少なくとも約２００Ｎのパウチ歪みを有する、実施形態１〜１１のいずれか１つに記載の水溶性パウチ。
【０１５３】
１３．第２の水溶性フィルムが、粘着性ＰＡ試験に従い少なくとも約１５００のパウチへの組み込み前の粘着性値を有する、実施形態１〜１２のいずれか１つに記載の水溶性パウチ。
【０１５４】
１４．第１の水溶性フィルムが、第１の水溶性樹脂を含み、第２の水溶性フィルムが第２の水溶性樹脂を含む、実施形態１〜１３のいずれか１つに記載の水溶性パウチ。
【０１５５】
１５．第１の水溶性樹脂が、ポリビニルアルコールまたはそのコポリマーを含み、第２の水溶性樹脂がポリビニルアルコールまたはそのコポリマーを含む、実施形態１４に記載の水溶性パウチ。
【０１５６】
１６．第１の水溶性樹脂が、ポリビニルアルコールホモポリマーと、アニオン性モノマー単位を含むポリビニルアルコールコポリマーとのブレンドを含む、実施形態１４に記載の水溶性パウチ。
【０１５７】
１７．ブレンドが、フィルム中のポリビニルアルコールの全重量に基づいて、約３０〜約１００重量パーセントの、アニオン性モノマー単位を含むポリビニルアルコールコポリマーと、約０〜約７０重量パーセントのポリビニルアルコールホモポリマーとを含む、実施形態１６に記載の水溶性パウチ。
【０１５８】
１８．ブレンドが、フィルム中のポリビニルアルコールの全重量に基づいて、約３０〜約７０重量パーセントの、または約３０〜約６５重量パーセントの、または約３０〜約５０重量パーセントの、アニオン性モノマー単位を含むポリビニルアルコールコポリマーを含む、実施形態１７に記載の水溶性パウチ。
【０１５９】
１９．第２の水溶性樹脂が、ポリビニルアルコールホモポリマーと、アニオン性モノマー単位を含むポリビニルアルコールコポリマーとのブレンドを含む、実施形態１４に記載の水溶性パウチ。
【０１６０】
２０．ブレンドが、フィルム中のポリビニルアルコールの全重量に基づいて、約３０〜約１００重量パーセントの、アニオン性モノマー単位を含むポリビニルアルコールコポリマーと、約０〜約７０重量パーセントのポリビニルアルコールホモポリマーとを含む、実施形態１９に記載の水溶性パウチ。
【０１６１】
２１．ブレンドが、フィルム中のポリビニルアルコールの全重量に基づいて、約３０〜約７０重量パーセントの、または約３０〜約６５重量パーセントの、または約３０〜約５０重量パーセントの、アニオン性モノマー単位を含むポリビニルアルコールコポリマーを含む、実施形態２０に記載の水溶性パウチ。
【０１６２】
２２．様々な実施形態において、アニオン性モノマー単位は、ビニル酢酸、アクリル酸アルキル、マレイン酸、マレイン酸モノアルキル、マレイン酸ジアルキル、マレイン酸モノメチル、マレイン酸ジメチル、無水マイレン酸、フマル酸、フマル酸モノアルキル、フマル酸ジアルキル、フマル酸モノメチル、フマル酸ジメチル、無水フマル酸、イタコン酸、イタコン酸モノメチル、イタコン酸ジメチル、無水イタコン酸、シトラコン酸、シトラコン酸モノアルキル、シトラコン酸ジアルキル、無水シトラコン酸、メサコン酸、メサコン酸モノアルキル、メサコン酸ジアルキル、無水メサコン酸、グルタコン酸、グルタコン酸モノアルキル、グルタコン酸ジアルキル、無水グルタコン酸、ビニルスルホン酸、アルキルスルホン酸、エチレンスルホン酸、２−アクリルアミド−１−メチルプロパンスルホン酸、２−アクリルアミド−２−メチルプロパンスルホン酸、２−メチルアクリルアミド−２−メチルプロパンスルホン酸、２−スルホエチルアクリレート、これらのアルカリ金属塩、これらのエステル、およびこれらの組み合わせからなる群から選択される、実施形態１６〜２１のいずれか１つに記載の水溶性パウチ。
【０１６３】
２３．アニオン性モノマー単位が、マレイン酸、マレイン酸モノアルキル、マレイン酸ジアルキル、無水マレイン酸、これらのアルカリ金属塩、これらのエステル、およびこれらの組み合わせからなる群から選択される、実施形態２２に記載の水溶性パウチ。
【０１６４】
２４．アニオン性モノマー単位が、マレイン酸、マレイン酸モノメチル、マレイン酸ジメチル、無水マレイン酸、これらのアルカリ金属塩、これらのエステル、およびこれらの組み合わせからなる群から選択される、実施形態２３に記載の水溶性パウチ。
【０１６５】
２５．前記ポリビニルアルコールコポリマーが、約２モル％〜約８モル％のアニオン性モノマー単位、または約１モル％〜約４モル％のアニオン性モノマー単位を含む、実施形態１６〜２４のいずれか１つに記載の水溶性パウチ。
【０１６６】
２６．第１の水溶性樹脂が、約８７〜約９３の範囲の加水分解度を有するポリビニルアルコールを含む、実施形態１〜２５のいずれか１つに記載の水溶性パウチ。
【０１６７】
２７．第１の水溶性樹脂が、ポリビニルアルコールホモポリマーと、アニオン性モノマー単位を含むポリビニルアルコールコポリマーとのブレンドを含み、ブレンドが約８７〜約９３の範囲の加重平均加水分解度を有する、実施形態１〜２６のいずれか１つに記載の水溶性パウチ。
【０１６８】
２８．パウチが、シールされ、調整され、および破裂強度試験に従い試験された第１の水溶性フィルムによって測定される２０００Ｎ未満のパウチ歪みを有する、実施形態１〜２７のいずれか１つに記載の水溶性パウチ。
【０１６９】
２９．第１の水溶性フィルムが可塑剤をさらに含む、実施形態１〜２８のいずれか１つに記載の水溶性パウチ。
【０１７０】
３０．第２の水溶性フィルムが可塑剤をさらに含む、実施形態１〜２９のいずれか１つに記載の水溶性パウチ。
【０１７１】
３１．可塑剤が、グリセリン、トリメチロールプロパン、ソルビトール、およびこれらの組み合わせからなる群から選択される、実施形態３１または３２に記載の水溶性パウチ。
【０１７２】
３２．第１の水溶性フィルムが界面活性剤をさらに含む、実施形態１〜３１のいずれか１つに記載の水溶性パウチ。
【０１７３】
３３．第２の水溶性フィルムが界面活性剤をさらに含む、実施形態１〜３２のいずれか１つに記載の水溶性パウチ。
【０１７４】
３４．界面活性剤が、ポリオキシエチレン化ポリオキシプロピレングリコール、アルコールエトキシレート、アルキルフェノールエトキシレート、第三級アセチレングリコール、アルカノールアミド、ポリオキシエチレン化アミン、第四級アンモニウム塩、四級化ポリオキシエチレン化アミン、アミンオキシドＮ−アルキルベタイン、スルホベタイン、およびこれらの混合物からなる群から選択される、実施形態３４または実施形態３５に記載の水溶性パウチ。
【０１７５】
３５．第１の水溶性フィルムが嫌悪剤をさらに含む、実施形態１〜３４のいずれか１つに記載の水溶性パウチ。
【０１７６】
３６．第２の水溶性フィルムが、嫌悪剤をさらに含む、実施形態１〜３５のいずれか１つに記載の水溶性パウチ。
【０１７７】
３７．第１の水溶性フィルムの厚さが、第２の水溶性フィルムの厚さから１０％を超えて変化しない、実施形態１〜３６のいずれか１つに記載の水溶性パウチ。
【０１７８】
３８．第１の水溶性樹脂が約１２ｃＰ〜約４０ｃＰ、または約１２ｃＰ〜約３０ｃＰ、または約１４ｃＰ〜約２５ｃＰの範囲の、２５℃での４％溶液粘度を有する、実施形態１４に記載の水溶性パウチ。
【０１７９】
３９．第２の水溶性樹脂が、約４ｃＰ〜約３５ｃＰ、または約１０ｃＰ〜約２０ｃＰ、または約１０ｃＰ〜約１５ｃＰ、または約１２ｃＰ〜約１４ｃＰの範囲の、２５℃での４％溶液粘度を有する、実施形態１４に記載の水溶性パウチである。
【０１８０】
４０．第１の水溶性樹脂の２５℃での４％溶液粘度が、第２の水溶性樹脂の２５℃での４％溶液粘度よりも大きく、かつ第１の水溶性樹脂の２５℃で４％溶液粘度および第２の水溶性樹脂の２５℃での４％溶液粘度間の差は、約２ｃＰ約２０ｃＰ、または約３ｃＰ〜約１５ｃＰ、または約４ｃＰ〜約１２ｃＰである、実施形態１４に記載の水溶性パウチ。
【０１８１】
４１．シールされた区画内の組成物が非家庭用ケア組成物である、実施形態１〜４０のいずれか１つに記載の水溶性パウチ。
【実施例】
【０１８２】
以下の単位用量物品を調製し、本明細書に記載のプロトコルに従って単位用量物品強度、シール不良、およびパウチ溶解について試験する。本発明の範囲外の比較単位用量物品は、単一フィルムタイプから調製されるが、本発明による単位用量物品の例は、ホモポリマーの分子量が異なる２つの異なるフィルムから調製される。
【０１８３】
４１ｍｍ×４３ｍｍのフットプリント、２０．１ｍｍのキャビティ深さおよび２５ｍｌのキャビティ容積を有する多区画の水溶性単位用量物品は、熱／真空成形によって作られる。デュアルフィルムの例では、単位用量物品フィルムＡは真空下で変形させ、フィルムＢは閉鎖フィルムとして使用される。Ｆａｉｒｙ  ｎｏｎ−Ｂｉｏ  ３−ｉｎ−１水溶性単位用量製品の底部区画において、２０１６年１月に英国で市販されている標準洗剤組成物を、これらの単一区画単位用量物品の内部に封入した。
以下の表１は、単位用量物品を調製するために使用されるフィルム組成物の詳細を示す。
【表１】
2019521919.tif 000003
【０１８４】
アニオン含有量が増加したフィルムから作製された単位用量物品、例えばパウチは粘着性を増大させる。フィルムのアニオン含有量に関して、互いに化学的に異なるフィルムを組み合わせることによって、最適な溶解性および低減した粘着性を示す水溶性単位用量物品を得ることができる。
【表２】
2019521919.tif 000004
【０１８５】
本明細書に開示される寸法および値は、列挙される正確な数値に厳密に制限されるものとは理解されない。代わりに、特に指定のない限り、このような各寸法は、列挙される値およびその値の周辺の機能的に同等の範囲の両方を意味することが意図される。例えば、「４０ｍｍ」として開示される寸法は、「約４０ｍｍ」を意味することが意図される。
【０１８６】
いずれの相互参照または関連特許もしくは出願、ならびに本出願がその優先権または利益を主張するいずれの特許出願または特許を含む、本明細書で引用されるすべての文献は、明示的に除外または限定されない限り、その全体が参照により本明細書に組み込まれる。いかなる文献の引用も、本明細書において開示もしくは特許請求される任意の発明に関する先行技術であること、またはそれ単独で、もしくはあらゆる他の参考文献（複数可）との任意の組み合わせで、このような任意の発明を教示、示唆、もしくは開示することを認めるものではない。さらに、本明細書中の用語のいずれの意味または定義が、参照により組み込まれる文献中の同じ用語のいずれの意味または定義と矛盾する限りでは、本明細書中でその用語に割り当てられた意味または定義が適用される。
【０１８７】
本発明の特定の実施形態を例示し、説明してきたが、本発明の主旨および範囲から逸脱することなく、様々な他の変更および修正を行うことができることは、当業者には明らかであろう。したがって、添付の特許請求の範囲において、本発明の範囲内にあるこのようなすべての変更および修正を包含することが意図される。
【図１】
2019521919.tif 000005
【図２】
2019521919.tif 000006
【図３】
2019521919.tif 000007
【国際調査報告】
2019521919.tif 000008
2019521919.tif 000009